(57)【要約】【課題】システム全体をコンパクトにできるとともに、ろ過水の脱色効率を向上できる循環式水洗トイレシステムを提供する。【解決手段】循環式水洗トイレシステム１は、ろ過水をオゾン脱色するオゾン脱色部８を備える。オゾン脱色部８は、第１反応槽３１及び第２反応槽３２と、混合ポンプ１２と、循環配管４１〜４７と、オゾン発生器１３とを備える。そして、循環配管４１〜４７に設けられた電磁弁５２〜５４を制御することで、循環配管４１〜４７で構成されるろ過水の循環流路を、第１循環流路及び第２循環流路に交互に切り換え可能である。よって、循環配管４１〜４７のうち一部の配管を互いに共有するので、オゾン脱色部８をコンパクトにできる。また、第１反応槽３１のろ過水の循環脱色と、第２反応槽３２のろ過水の循環脱色とが交互に実行されるので、ろ過水を短時間で効率的に脱色できる。【選択図】図２
2007270524.tif 000002
【特許請求の範囲】
【請求項１】
水洗便器と、当該水洗便器からの汚水を受け入れ、生物処理を行う生物処理槽と、当該生物処理槽で処理された生物処理水をろ過するろ過槽と、当該ろ過槽でろ過されたろ過水を受け入れる第１反応槽及び第２反応槽と、オゾンを発生するオゾン発生手段と、当該オゾン発生手段、前記第１反応槽及び前記第２反応槽に各々連結され、ろ過水にオゾンを混合して脱色反応させて脱色水を生成する混合脱色手段と、当該混合脱色手段によって生成した脱色水を受け入れて貯留する貯留槽とを備え、当該貯留槽に貯留された脱色水を洗浄水として前記水洗便器に循環させる循環式水洗トイレシステムにおいて、
前記混合脱色手段は、
前記オゾン発生手段に連結され、ろ過水にオゾンを混合させる混合ポンプと、
当該混合ポンプと、前記第１反応槽及び前記第２反応槽との間に設けられ、前記混合ポンプが動作することによってオゾンが混合されたろ過水が循環する循環配管と
から構成され、
前記ろ過槽と、前記第１反応槽及び前記第２反応槽との間に設けられたろ過水供給管と、
当該ろ過水供給管に設けられ、前記ろ過槽から前記第１反応槽への流路、又は前記ろ過槽から前記第２反応槽への流路に切換可能なろ過水流路切換手段と、
前記循環配管に設けられ、前記第１反応槽と前記混合ポンプとをつなぐ環状の循環流路、又は前記第２反応槽と前記混合ポンプとをつなぐ環状の循環流路に切換可能な循環流路切換手段と、
前記循環配管に接続され、前記第１反応槽又は前記第２反応槽内の脱色水を前記貯留槽に供給する脱色水供給管と、
当該脱色水供給管と前記循環配管との接続部分に設けられ、前記循環配管から前記脱色水供給管への流路を開閉する脱色水供給流路開閉手段と、
前記第１反応槽内の貯水量を検知する第１水量検知手段と、
前記第２反応槽内の貯水量を検知する第２水量検知手段と、
前記ポンプの動作時間を計測する時間計測手段と、
当該時間計測手段によって計測された計測時間が、所定時間以上か否かを判断する時間判断手段と、
前記第１水量検知手段の検知水量が下限水量以上か未満かを判断する第１下限判断手段と、
前記第１水量検知手段の検知水量が上限水量以上か未満かを判断する第１上限判断手段と、
前記第２水量検知手段の検知水量が下限水量以上か未満かを判断する第２下限判断手段と、
前記第２水量検知手段の検知水量が上限水量以上か未満かを判断する第２上限判断手段と、
前記第１上限判断手段が上限水量未満であると判断した場合に、前記第１反応槽への流路を開くように前記ろ過水流路切換手段を指示する第１切換指示手段と、
前記第２上限判断手段が上限水量未満であると判断した場合に、前記第２反応槽への流路を開くように前記ろ過水流路切換手段を指示する第２切換指示手段と、
前記第１上限判断手段、又は第２上限判断手段が上限水量以上であると判断した場合、前記混合ポンプの動作を指示するポンプ動作指示手段と、
前記第１上限判断手段が上限水量以上であると判断した場合に、前記循環配管の流路を前記第１反応槽と前記混合手段とをつなぐ流路に切り換えるように、前記循環流路切換手段を指示する第１循環流路切換制御手段と、
前記第２上限判断手段が上限水量以上であると判断した場合に、前記循環配管の流路を前記第２反応槽と前記混合手段とをつなぐ流路に切り換えるように、前記循環流路切換手段を指示する第２循環流路切換制御手段と、
前記第１上限判断手段、又は前記第２上限判断手段が上限水量以上であると判断した場合に、前記オゾン発生手段の動作を指示するオゾン発生指示手段と、
前記時間判断手段が所定時間以上であると判断した場合に、前記オゾン発生手段を停止させるオゾン発生停止手段と、
前記時間判断手段が所定時間以上であると判断した場合に、前記循環配管から前記脱色水供給管への流路を開くように、前記脱色水供給流路開閉手段を指示する脱色水供給流路開放指示手段と、
当該脱色水供給流路開放指示手段の指示によって、前記循環配管から前記脱色水供給管への流路が開かれ、前記第１反応槽又は前記第２反応槽内の脱色水が、前記脱色水供給管を介して前記貯留槽内に供給され、前記第１下限判断手段又は前記第２下限判断手段が下限水量未満であると判断した場合に、前記混合ポンプを停止させるポンプ停止手段と
を備えていることを特徴とする循環式水洗トイレシステム。
【請求項２】
前記所定時間は、前記第１反応槽及び前記第２反応槽内のろ過水が目標色度まで脱色されるのに要する時間に調整されたことを特徴とする請求項１に記載の循環式水洗トイレシステム。
【請求項３】
水洗便器と、当該水洗便器からの汚水を受け入れ、生物処理を行う生物処理槽と、当該生物処理槽で処理された生物処理水をろ過するろ過槽と、当該ろ過槽でろ過されたろ過水を受け入れる第１反応槽及び第２反応槽と、オゾンを発生するオゾン発生手段と、当該オゾン発生手段、前記第１反応槽及び前記第２反応槽に各々連結され、ろ過水にオゾンを混合して脱色反応させて脱色水を生成する混合脱色手段と、当該混合脱色手段によって生成した脱色水を受け入れて貯留する貯留槽とを備え、当該貯留槽に貯留された脱色水を洗浄水として前記水洗便器に循環させる循環式水洗トイレシステムにおいて、
前記混合脱色手段は、
前記オゾン発生手段に連結され、ろ過水にオゾンを混合させる混合ポンプと、
当該混合ポンプと、前記第１反応槽及び前記第２反応槽との間に設けられ、前記混合ポンプが動作することによってオゾンが混合されたろ過水が循環する循環配管と
から構成され、
前記ろ過槽と、前記第１反応槽及び前記第２反応槽との間に設けられたろ過水供給管と、
当該ろ過水供給管に設けられ、前記ろ過槽から前記第１反応槽への流路、又は前記ろ過槽から前記第２反応槽への流路に切換可能なろ過水流路切換手段と、
前記循環配管に設けられ、前記第１反応槽と前記混合ポンプとをつなぐ環状の循環流路、又は前記第２反応槽と前記混合ポンプとをつなぐ環状の循環流路に切換可能な循環流路切換手段と、
前記循環配管に接続され、前記第１反応槽又は前記第２反応槽内の脱色水を前記貯留槽に供給する脱色水供給管と、
当該脱色水供給管と前記循環配管との接続部分に設けられ、前記循環配管から前記脱色水供給管への流路を開閉する脱色水供給流路開閉手段と、
前記第１反応槽内の貯水量を検知する第１水量検知手段と、
前記第２反応槽内の貯水量を検知する第２水量検知手段と、
前記ポンプの動作時間を計測する時間計測手段と、
当該時間計測手段によって計測された計測時間が、所定時間以上か否かを判断する時間判断手段と、
前記第１水量検知手段の検知水量が下限水量以上か未満かを判断する第１下限判断手段と、
前記第１水量検知手段の検知水量が上限水量以上か未満かを判断する第１上限判断手段と、
前記第２水量検知手段の検知水量が下限水量以上か未満かを判断する第２下限判断手段と、
前記第２水量検知手段の検知水量が上限水量以上か未満かを判断する第２上限判断手段と、
前記第１上限判断手段が上限水量未満であると判断した場合に、前記第１反応槽への流路を開くように前記ろ過水流路切換手段を指示する第１切換指示手段と、
前記第２上限判断手段が上限水量未満であると判断した場合に、前記第２反応槽への流路を開くように前記ろ過水流路切換手段を指示する第２切換指示手段と、
前記第１上限判断手段、又は第２上限判断手段が上限水量以上であると判断した場合、前記混合ポンプの動作を指示するポンプ動作指示手段と、
前記第１上限判断手段が上限水量以上であると判断した場合に、前記循環配管の流路を前記第１反応槽と前記混合手段とをつなぐ流路に切り換えるように、前記循環流路切換手段を指示する第１循環流路切換制御手段と、
前記第２上限判断手段が上限水量以上であると判断した場合に、前記循環配管の流路を前記第２反応槽と前記混合手段とをつなぐ流路に切り換えるように、前記循環流路切換手段を指示する第２循環流路切換制御手段と、
前記第１上限判断手段、又は前記第２上限判断手段が上限水量以上であると判断した場合に、前記オゾン発生手段の動作を指示するオゾン発生指示手段と、
前記時間判断手段が所定時間以上であると判断した場合に、前記循環配管から前記脱色水供給管への流路を開くように、前記脱色水供給流路開閉手段を指示する脱色水供給流路開放指示手段と、
当該脱色水供給流路開放指示手段の指示によって、前記循環配管から前記脱色水供給管への流路が開かれた状態で、前記第１下限判断手段又は前記第２下限判断手段が下限水量未満であると判断した場合に、前記オゾン発生手段を停止させるオゾン発生停止手段と、
前記脱色水供給流路開放指示手段の指示によって、前記循環配管から前記脱色水供給管への流路が開かれた状態で、前記第１下限判断手段又は前記第２下限判断手段が下限水量未満であると判断した場合に、前記混合ポンプを停止させるポンプ停止手段と
を備えていることを特徴とする循環式水洗トイレシステム。
【請求項４】
前記所定時間は、前記第１反応槽及び前記第２反応槽内のろ過水が目標色度よりも高い所定色度まで脱色されるのに要する時間に調整されていることを特徴とする請求項３に記載の循環式水洗トイレシステム。
【請求項５】
前記所定色度は、前記脱色水供給管の出口通過時の脱色水の色度が、前記目標色度にまで脱色されている程度に調整されていることを特徴とする請求項４に記載の循環式水洗トイレシステム。
【請求項６】
前記貯留槽と前記生物処理槽との間に設けられ、前記貯留槽内の脱色水を前記生物処理槽にオーバーフローさせるオーバーフロー水配管と、
前記貯留槽内の満水を検知する満水検知手段と
当該満水検知手段が満水を検知しない時に、前記第１反応槽及び前記第２反応槽における脱色処理回数をカウントする脱色回数カウント手段と、
当該脱色回数カウント手段のカウント値に基づいて、前記満水検知手段が満水を検知した時に、前記脱色水供給流路開閉手段を開放して、前記貯留槽の脱色水をオーバーフローさせるオーバーフロー回数を設定するオーバーフロー回数設定手段と
を備え、
前記脱色水供給流路開放指示手段は、前記満水検知手段が満水を検知した時に、前記オーバーフロー回数にしたがって、前記脱色水供給流路開閉手段の開放を指示することを特徴とする請求項１乃至５の何れかに記載の循環式水洗トイレシステム。
【請求項７】
前記オーバーフロー回数設定手段は、前記カウント値が所定回数以上の場合は、前記カウント値が所定回数未満の場合よりも、前記オーバーフロー回数を多く設定することを特徴とする請求項６に記載の循環式水洗トイレシステム。
【請求項８】
前記脱色槽と前記生物処理槽との間に設けられ、前記貯留槽内の脱色水を前記生物処理槽にオーバーフローさせるオーバーフロー水配管と、
前記貯留槽に設けられ、前記貯留槽内における脱色水の満水を検知する満水検知手段と、
前記第１反応槽及び前記第２反応槽の少なくとも何れかに設けられ、前記第１反応槽又は前記第２反応槽内に供給されたろ過水の色度を検知するろ過水色度検知手段と
を備え、
前記ポンプ動作指示手段は、
前記満水検知手段が満水を検知し、かつ前記ろ過水色度検知手段の検知した色度が基準色度未満の場合、前記混合ポンプを動作させないことを特徴とする請求項１乃至５の何れかに記載の循環式水洗トイレシステム。
【請求項９】
水洗便器と、当該水洗便器からの汚水を受け入れ、生物処理を行う生物処理槽と、当該生物処理槽で処理された生物処理水をろ過するろ過槽と、当該ろ過槽でろ過されたろ過水を受け入れる第１反応槽及び第２反応槽と、オゾンを発生するオゾン発生手段と、当該オゾン発生手段、前記第１反応槽及び前記第２反応槽に各々連結され、ろ過水にオゾンを混合して脱色反応させて脱色水を生成する混合脱色手段と、当該混合脱色手段によって生成した脱色水を受け入れて貯留する貯留槽とを備え、当該貯留槽に貯留された脱色水を洗浄水として前記水洗便器に循環させる循環式水洗トイレシステムにおいて、
前記混合脱色手段は、
前記オゾン発生手段に連結され、ろ過水にオゾンを混合させる混合ポンプと、
当該混合ポンプと、前記第１反応槽及び前記第２反応槽との間に設けられ、前記混合ポンプが動作することによってオゾンが混合されたろ過水が循環する循環配管と
から構成され、
前記ろ過槽と、前記第１反応槽及び前記第２反応槽との間に設けられたろ過水供給管と、
当該ろ過水供給管に設けられ、前記ろ過槽から前記第１反応槽への流路、又は前記ろ過槽から前記第２反応槽への流路に切換可能なろ過水流路切換手段と、
前記循環配管に設けられ、前記第１反応槽と前記混合ポンプとをつなぐ環状の循環流路、又は前記第２反応槽と前記混合ポンプとをつなぐ環状の循環流路に切換可能な循環流路切換手段と、
前記循環配管に接続され、前記第１反応槽又は前記第２反応槽内の脱色水を前記貯留槽に供給する脱色水供給管と、
当該脱色水供給管と前記循環配管との接続部分に設けられ、前記循環配管から前記脱色水供給管への流路を開閉する脱色水供給流路開閉手段と、
前記第１反応槽内の貯水量を検知する第１水量検知手段と、
前記第２反応槽内の貯水量を検知する第２水量検知手段と、
前記第１反応槽内の貯水の色度を検知する第１色度検知手段と、
前記第２反応槽内の貯水の色度を検知する第２色度検知手段と、
前記第１水量検知手段の検知水量が下限水量以上か未満かを判断する第１下限判断手段と、
前記第１水量検知手段の検知水量が上限水量以上か未満かを判断する第１上限判断手段と、
前記第２水量検知手段の検知水量が下限水量以上か未満かを判断する第２下限判断手段と、
前記第２水量検知手段の検知水量が上限水量以上か未満かを判断する第２上限判断手段と、
前記第１色度検知手段の検知色度が所定色度以下か否かを判断する第１色度判断手段と、
前記第２色度検知手段の検知色度が所定色度以下か否かを判断する第２色度判断手段と、
前記第１上限判断手段が上限水量未満であると判断した場合に、前記第１反応槽への流路を開くように前記ろ過水流路切換手段を指示する第１切換指示手段と、
前記第２上限判断手段が上限水量未満であると判断した場合に、前記第２反応槽への流路を開くように前記ろ過水流路切換手段を指示する第２切換指示手段と、
前記第１上限判断手段、又は第２上限判断手段が上限水量以上であると判断した場合、前記混合ポンプの動作を指示するポンプ動作指示手段と、
前記第１上限判断手段が上限水量以上であると判断した場合に、前記循環配管の流路を前記第１反応槽と前記混合手段とをつなぐ流路に切り換えるように、前記循環流路切換手段を指示する第１循環流路切換制御手段と、
前記第２上限判断手段が上限水量以上であると判断した場合に、前記循環配管の流路を前記第２反応槽と前記混合手段とをつなぐ流路に切り換えるように、前記循環流路切換手段を指示する第２循環流路切換制御手段と、
前記第１上限判断手段、又は前記第２上限判断手段が上限水量以上であると判断した場合に、前記オゾン発生手段の動作を指示するオゾン発生指示手段と、
前記第１色度判断手段、又は前記第２色度判断手段が所定色度以下と判断した場合に、前記循環配管から前記脱色水供給管への流路を開くように、前記脱色水供給流路開閉手段を指示する脱色水供給流路開放指示手段と、
当該脱色水供給流路開放指示手段の指示によって、前記循環配管から前記脱色水供給管への流路が開かれた状態で、前記第１下限判断手段又は前記第２下限判断手段が下限水量未満であると判断した場合に、前記オゾン発生手段を停止させるオゾン発生停止手段と、
前記脱色水供給流路開放指示手段の指示によって、前記循環配管から前記脱色水供給管への流路が開かれた状態で、前記第１下限判断手段又は前記第２下限判断手段が下限水量未満であると判断した場合に、前記混合ポンプを停止させるポンプ停止手段と
を備えていることを特徴とする循環式水洗トイレシステム。
【請求項１０】
前記所定色度は、前記脱色水供給管の出口通過時の脱色水の色度が、前記目標色度にまで脱色されている程度に調整されていることを特徴とする請求項９に記載の循環式水洗トイレシステム。
【請求項１１】
前記貯留槽と前記生物処理槽との間に設けられ、前記貯留槽内の脱色水を前記生物処理槽にオーバーフローさせるオーバーフロー水配管と、
前記貯留槽内の満水を検知する満水検知手段と
当該満水検知手段が満水を検知しない時に、前記第１反応槽及び前記第２反応槽における脱色処理回数をカウントする脱色回数カウント手段と、
当該脱色回数カウント手段のカウント値に基づいて、前記満水検知手段が満水を検知した時に、前記脱色水供給流路開閉手段を開放して、前記貯留槽の脱色水をオーバーフローさせるオーバーフロー回数を設定するオーバーフロー回数設定手段と
を備え、
前記脱色水供給流路開放指示手段は、前記満水検知手段が満水を検知した時に、前記オーバーフロー回数にしたがって、前記脱色水供給流路開閉手段の開放を指示することを特徴とする請求項９又は１０に記載の循環式水洗トイレシステム。
【請求項１２】
前記オーバーフロー回数設定手段は、前記カウント値が所定回数以上の場合は、前記カウント値が所定回数未満の場合よりも、前記オーバーフロー回数を多く設定することを特徴とする請求項１１に記載の循環式水洗トイレシステム。
【請求項１３】
前記脱色槽と前記生物処理槽との間に設けられ、前記貯留槽内の脱色水を前記生物処理槽にオーバーフローさせるオーバーフロー水配管と、
前記貯留槽に設けられ、前記貯留槽内における脱色水の満水を検知する満水検知手段と、
前記第１反応槽及び前記第２反応槽の少なくとも何れかに設けられ、前記第１反応槽又は前記第２反応槽内に供給されたろ過水の色度を検知するろ過水色度検知手段と
を備え、
前記ポンプ動作指示手段は、
前記満水検知手段が満水を検知し、かつ前記ろ過水色度検知手段の検知した色度が基準色度未満の場合、前記混合ポンプを動作させないことを特徴とする請求項９又は１０に記載の循環式水洗トイレシステム。
【発明の詳細な説明】
【技術分野】
【０００１】
本発明は、循環式水洗トイレシステムに関し、詳細には水洗便器からの汚水を浄化してオゾンにより脱色できる循環式水洗トイレシステムに関する。
【背景技術】
【０００２】
従来の循環式水洗トイレシステムでは、水洗便器からの汚水は生物処理槽に供給され、微生物による生物処理が行われる。次いで、生物処理槽で生物処理された処理水はろ過槽に供給され、ろ過槽内に配置されたろ過膜を通過することによってろ過される。さらに、そのろ過水は脱色槽に供給され、オゾン発生器で発生したオゾンと混合されることによって脱色される。こうして得られた脱色水はポンプによって水洗便器に戻され、洗浄水として再度使用される。
【０００３】
このような循環式水洗トイレシステムの脱色槽におけるろ過水の脱色方法としては以下の方法が知られている。例えば、混合ポンプを用いてろ過水とオゾンとを混合し、脱色槽との間で循環させることによってろ過水を脱色する方法が知られている。また、脱色槽内に散気管を設置し、その散気管にオゾンを送り込むことによって、脱色槽内のろ過水をオゾン曝気して脱色する方法も知られている。しかし前者の方法では、混合ポンプ内に吸引されるのはろ過水と脱色水との混合水であるので、まだオゾンが作用していないろ過水のみにオゾンを作用させることができない。後者の方法においても、脱色槽でオゾン曝気されるのはろ過水と脱色水との混合水であるので、オゾンが作用していないろ過水のみにオゾンを作用させることができない。したがってこれらの方法ではろ過水とオゾンとの接触効率が悪いという問題があった。
【０００４】
そこで、例えば、原水供給管から原水が流入する第１・第２反応塔と、オゾンを生成するオゾンガス生成手段と、該オゾンガス生成手段、第１・第２反応塔に各々連結されて原水とオゾンガスを混合して反応させる第１・第２ミキシング手段とを備え、第１反応塔と第１ミキシング手段とによる原水とオゾンガスのミキシング作業と、第２反応塔と第２ミキシング手段とによる原水とオゾンガスのミキシング作業とを交互に切換える流路切換手段を備えた脱色脱臭システムが知られている（例えば、特許文献１参照）。この脱色脱臭システムでは、第１・第２ミキシング手段が、循環ポンプ、循環配管、原水及びオゾンガスを互いに混合して反応させるミキシング体をそれぞれ独自に備えている。そして、第１・２反応塔内の原水が、第１・第２ミキシング体によってオゾンガスと混合され、循環ポンプによって循環配管を介して各々循環するようになっている。このように、１つの反応塔ではなく、２つの反応塔を用いることによって、オゾン脱色された脱色水を反応塔から順次貯留槽に供給できるので、原水とオゾンとの接触効率を向上させることができる。
【特許文献１】特開２００５−２３０６６８号公報
【発明の開示】
【発明が解決しようとする課題】
【０００５】
しかしながら、特許文献１に記載の脱色脱臭システムでは、第１・第２ミキシング手段は、それぞれ独自の循環ポンプと、循環配管と、ミキシング体とを備えているので、システム全体が大型化してしまうという問題点があった。また、循環ポンプ、循環配管、ミキシング体はそれぞれ一対あるので、これら部品及び構造体にかかる費用が少なくとも２倍になるという問題点があった。
【０００６】
本発明は、上記の課題を解決するためになされたものであり、システム全体をコンパクトにできるとともに、ろ過水の脱色効率を向上できる循環式水洗トイレシステムを提供することを目的とする。
【課題を解決するための手段】
【０００７】
上記目的を達成するために、請求項１に係る発明の循環式水洗トイレシステムは、水洗便器と、当該水洗便器からの汚水を受け入れ、生物処理を行う生物処理槽と、当該生物処理槽で処理された生物処理水をろ過するろ過槽と、当該ろ過槽でろ過されたろ過水を受け入れる第１反応槽及び第２反応槽と、オゾンを発生するオゾン発生手段と、当該オゾン発生手段、前記第１反応槽及び前記第２反応槽に各々連結され、ろ過水にオゾンを混合して脱色反応させて脱色水を生成する混合脱色手段と、当該混合脱色手段によって生成した脱色水を受け入れて貯留する貯留槽とを備え、当該貯留槽に貯留された脱色水を洗浄水として前記水洗便器に循環させる循環式水洗トイレシステムにおいて、前記混合脱色手段は、前記オゾン発生手段に連結され、ろ過水にオゾンを混合させる混合ポンプと、当該混合ポンプと、前記第１反応槽及び前記第２反応槽との間に設けられ、前記混合ポンプが動作することによってオゾンが混合されたろ過水が循環する循環配管とから構成され、前記ろ過槽と、前記第１反応槽及び前記第２反応槽との間に設けられたろ過水供給管と、当該ろ過水供給管に設けられ、前記ろ過槽から前記第１反応槽への流路、又は前記ろ過槽から前記第２反応槽への流路に切換可能なろ過水流路切換手段と、前記循環配管に設けられ、前記第１反応槽と前記混合ポンプとをつなぐ環状の循環流路、又は前記第２反応槽と前記混合ポンプとをつなぐ環状の循環流路に切換可能な循環流路切換手段と、前記循環配管に接続され、前記第１反応槽又は前記第２反応槽内の脱色水を前記貯留槽に供給する脱色水供給管と、当該脱色水供給管と前記循環配管との接続部分に設けられ、前記循環配管から前記脱色水供給管への流路を開閉する脱色水供給流路開閉手段と、前記第１反応槽内の貯水量を検知する第１水量検知手段と、前記第２反応槽内の貯水量を検知する第２水量検知手段と、前記ポンプの動作時間を計測する時間計測手段と、当該時間計測手段によって計測された計測時間が、所定時間以上か否かを判断する時間判断手段と、前記第１水量検知手段の検知水量が下限水量以上か未満かを判断する第１下限判断手段と、前記第１水量検知手段の検知水量が上限水量以上か未満かを判断する第１上限判断手段と、前記第２水量検知手段の検知水量が下限水量以上か未満かを判断する第２下限判断手段と、前記第２水量検知手段の検知水量が上限水量以上か未満かを判断する第２上限判断手段と、前記第１上限判断手段が上限水量未満であると判断した場合に、前記第１反応槽への流路を開くように前記ろ過水流路切換手段を指示する第１切換指示手段と、前記第２上限判断手段が上限水量未満であると判断した場合に、前記第２反応槽への流路を開くように前記ろ過水流路切換手段を指示する第２切換指示手段と、前記第１上限判断手段、又は第２上限判断手段が上限水量以上であると判断した場合、前記混合ポンプの動作を指示するポンプ動作指示手段と、前記第１上限判断手段が上限水量以上であると判断した場合に、前記循環配管の流路を前記第１反応槽と前記混合手段とをつなぐ流路に切り換えるように、前記循環流路切換手段を指示する第１循環流路切換制御手段と、前記第２上限判断手段が上限水量以上であると判断した場合に、前記循環配管の流路を前記第２反応槽と前記混合手段とをつなぐ流路に切り換えるように、前記循環流路切換手段を指示する第２循環流路切換制御手段と、前記第１上限判断手段、又は前記第２上限判断手段が上限水量以上であると判断した場合に、前記オゾン発生手段の動作を指示するオゾン発生指示手段と、前記時間判断手段が所定時間以上であると判断した場合に、前記オゾン発生手段を停止させるオゾン発生停止手段と、前記時間判断手段が所定時間以上であると判断した場合に、前記循環配管から前記脱色水供給管への流路を開くように、前記脱色水供給流路開閉手段を指示する脱色水供給流路開放指示手段と、当該脱色水供給流路開放指示手段の指示によって、前記循環配管から前記脱色水供給管への流路が開かれ、前記第１反応槽又は前記第２反応槽内の脱色水が、前記脱色水供給管を介して前記貯留槽内に供給され、前記第１下限判断手段又は前記第２下限判断手段が下限水量未満であると判断した場合に、前記混合ポンプを停止させるポンプ停止手段とを備えている。
【０００８】
また、請求項２に係る発明の循環式水洗トイレシステムは、請求項１に記載の発明の構成に加え、前記所定時間は、前記第１反応槽及び前記第２反応槽内のろ過水が目標色度まで脱色されるのに要する時間に調整されたことを特徴とする。
【０００９】
また、請求項３に係る発明の循環式水洗トイレシステムは、水洗便器と、当該水洗便器からの汚水を受け入れ、生物処理を行う生物処理槽と、当該生物処理槽で処理された生物処理水をろ過するろ過槽と、当該ろ過槽でろ過されたろ過水を受け入れる第１反応槽及び第２反応槽と、オゾンを発生するオゾン発生手段と、当該オゾン発生手段、前記第１反応槽及び前記第２反応槽に各々連結され、ろ過水にオゾンを混合して脱色反応させて脱色水を生成する混合脱色手段と、当該混合脱色手段によって生成した脱色水を受け入れて貯留する貯留槽とを備え、当該貯留槽に貯留された脱色水を洗浄水として前記水洗便器に循環させる循環式水洗トイレシステムにおいて、前記混合脱色手段は、前記オゾン発生手段に連結され、ろ過水にオゾンを混合させる混合ポンプと、当該混合ポンプと、前記第１反応槽及び前記第２反応槽との間に設けられ、前記混合ポンプが動作することによってオゾンが混合されたろ過水が循環する循環配管とから構成され、前記ろ過槽と、前記第１反応槽及び前記第２反応槽との間に設けられたろ過水供給管と、当該ろ過水供給管に設けられ、前記ろ過槽から前記第１反応槽への流路、又は前記ろ過槽から前記第２反応槽への流路に切換可能なろ過水流路切換手段と、前記循環配管に設けられ、前記第１反応槽と前記混合ポンプとをつなぐ環状の循環流路、又は前記第２反応槽と前記混合ポンプとをつなぐ環状の循環流路に切換可能な循環流路切換手段と、前記循環配管に接続され、前記第１反応槽又は前記第２反応槽内の脱色水を前記貯留槽に供給する脱色水供給管と、当該脱色水供給管と前記循環配管との接続部分に設けられ、前記循環配管から前記脱色水供給管への流路を開閉する脱色水供給流路開閉手段と、前記第１反応槽内の貯水量を検知する第１水量検知手段と、前記第２反応槽内の貯水量を検知する第２水量検知手段と、前記ポンプの動作時間を計測する時間計測手段と、当該時間計測手段によって計測された計測時間が、所定時間以上か否かを判断する時間判断手段と、前記第１水量検知手段の検知水量が下限水量以上か未満かを判断する第１下限判断手段と、前記第１水量検知手段の検知水量が上限水量以上か未満かを判断する第１上限判断手段と、前記第２水量検知手段の検知水量が下限水量以上か未満かを判断する第２下限判断手段と、前記第２水量検知手段の検知水量が上限水量以上か未満かを判断する第２上限判断手段と、前記第１上限判断手段が上限水量未満であると判断した場合に、前記第１反応槽への流路を開くように前記ろ過水流路切換手段を指示する第１切換指示手段と、前記第２上限判断手段が上限水量未満であると判断した場合に、前記第２反応槽への流路を開くように前記ろ過水流路切換手段を指示する第２切換指示手段と、前記第１上限判断手段、又は第２上限判断手段が上限水量以上であると判断した場合、前記混合ポンプの動作を指示するポンプ動作指示手段と、前記第１上限判断手段が上限水量以上であると判断した場合に、前記循環配管の流路を前記第１反応槽と前記混合手段とをつなぐ流路に切り換えるように、前記循環流路切換手段を指示する第１循環流路切換制御手段と、前記第２上限判断手段が上限水量以上であると判断した場合に、前記循環配管の流路を前記第２反応槽と前記混合手段とをつなぐ流路に切り換えるように、前記循環流路切換手段を指示する第２循環流路切換制御手段と、前記第１上限判断手段、又は前記第２上限判断手段が上限水量以上であると判断した場合に、前記オゾン発生手段の動作を指示するオゾン発生指示手段と、前記時間判断手段が所定時間以上であると判断した場合に、前記循環配管から前記脱色水供給管への流路を開くように、前記脱色水供給流路開閉手段を指示する脱色水供給流路開放指示手段と、当該脱色水供給流路開放指示手段の指示によって、前記循環配管から前記脱色水供給管への流路が開かれた状態で、前記第１下限判断手段又は前記第２下限判断手段が下限水量未満であると判断した場合に、前記オゾン発生手段を停止させるオゾン発生停止手段と、前記脱色水供給流路開放指示手段の指示によって、前記循環配管から前記脱色水供給管への流路が開かれた状態で、前記第１下限判断手段又は前記第２下限判断手段が下限水量未満であると判断した場合に、前記混合ポンプを停止させるポンプ停止手段とを備えている。
【００１０】
また、請求項４に係る発明の循環式水洗トイレシステムは、請求項３に記載の発明の構成に加え、前記所定時間は、前記第１反応槽及び前記第２反応槽内のろ過水が目標色度よりも高い所定色度まで脱色されるのに要する時間に調整されていることを特徴とする。
【００１１】
また、請求項５に係る発明の循環式水洗トイレシステムは、請求項４に記載の発明の構成に加え、前記所定色度は、前記脱色水供給管の出口通過時の脱色水の色度が、前記目標色度にまで脱色されている程度に調整されていることを特徴とする。
【００１２】
また、請求項６に係る発明の循環式水洗トイレシステムは、請求項１乃至５の何れかに記載の発明の構成に加え、前記貯留槽と前記生物処理槽との間に設けられ、前記貯留槽内の脱色水を前記生物処理槽にオーバーフローさせるオーバーフロー水配管と、前記貯留槽内の満水を検知する満水検知手段と当該満水検知手段が満水を検知しない時に、前記第１反応槽及び前記第２反応槽における脱色処理回数をカウントする脱色回数カウント手段と、当該脱色回数カウント手段のカウント値に基づいて、前記満水検知手段が満水を検知した時に、前記脱色水供給流路開閉手段を開放して、前記貯留槽の脱色水をオーバーフローさせるオーバーフロー回数を設定するオーバーフロー回数設定手段とを備え、前記脱色水供給流路開放指示手段は、前記満水検知手段が満水を検知した時に、前記オーバーフロー回数にしたがって、前記脱色水供給流路開閉手段の開放を指示することを特徴とする。
【００１３】
また、請求項７に係る発明の循環式水洗トイレシステムは、請求項６に記載の発明の構成に加え、前記オーバーフロー回数設定手段は、前記カウント値が所定回数以上の場合は、前記カウント値が所定回数未満の場合よりも、前記オーバーフロー回数を多く設定することを特徴とする。
【００１４】
また、請求項８に係る発明の循環式水洗トイレシステムは、請求項１乃至５の何れかに記載の発明の構成に加え、前記脱色槽と前記生物処理槽との間に設けられ、前記貯留槽内の脱色水を前記生物処理槽にオーバーフローさせるオーバーフロー水配管と、前記貯留槽に設けられ、前記貯留槽内における脱色水の満水を検知する満水検知手段と、前記第１反応槽及び前記第２反応槽の少なくとも何れかに設けられ、前記第１反応槽又は前記第２反応槽内に供給されたろ過水の色度を検知するろ過水色度検知手段とを備え、前記ポンプ動作指示手段は、前記満水検知手段が満水を検知し、かつ前記ろ過水色度検知手段の検知した色度が基準色度未満の場合、前記混合ポンプを動作させないことを特徴とする。
【００１５】
また、請求項９に係る発明の循環式水洗トイレシステムは、水洗便器と、当該水洗便器からの汚水を受け入れ、生物処理を行う生物処理槽と、当該生物処理槽で処理された生物処理水をろ過するろ過槽と、当該ろ過槽でろ過されたろ過水を受け入れる第１反応槽及び第２反応槽と、オゾンを発生するオゾン発生手段と、当該オゾン発生手段、前記第１反応槽及び前記第２反応槽に各々連結され、ろ過水にオゾンを混合して脱色反応させて脱色水を生成する混合脱色手段と、当該混合脱色手段によって生成した脱色水を受け入れて貯留する貯留槽とを備え、当該貯留槽に貯留された脱色水を洗浄水として前記水洗便器に循環させる循環式水洗トイレシステムにおいて、前記混合脱色手段は、前記オゾン発生手段に連結され、ろ過水にオゾンを混合させる混合ポンプと、当該混合ポンプと、前記第１反応槽及び前記第２反応槽との間に設けられ、前記混合ポンプが動作することによってオゾンが混合されたろ過水が循環する循環配管とから構成され、前記ろ過槽と、前記第１反応槽及び前記第２反応槽との間に設けられたろ過水供給管と、当該ろ過水供給管に設けられ、前記ろ過槽から前記第１反応槽への流路、又は前記ろ過槽から前記第２反応槽への流路に切換可能なろ過水流路切換手段と、前記循環配管に設けられ、前記第１反応槽と前記混合ポンプとをつなぐ環状の循環流路、又は前記第２反応槽と前記混合ポンプとをつなぐ環状の循環流路に切換可能な循環流路切換手段と、前記循環配管に接続され、前記第１反応槽又は前記第２反応槽内の脱色水を前記貯留槽に供給する脱色水供給管と、当該脱色水供給管と前記循環配管との接続部分に設けられ、前記循環配管から前記脱色水供給管への流路を開閉する脱色水供給流路開閉手段と、前記第１反応槽内の貯水量を検知する第１水量検知手段と、前記第２反応槽内の貯水量を検知する第２水量検知手段と、前記第１反応槽内の貯水の色度を検知する第１色度検知手段と、前記第２反応槽内の貯水の色度を検知する第２色度検知手段と、前記第１水量検知手段の検知水量が下限水量以上か未満かを判断する第１下限判断手段と、前記第１水量検知手段の検知水量が上限水量以上か未満かを判断する第１上限判断手段と、前記第２水量検知手段の検知水量が下限水量以上か未満かを判断する第２下限判断手段と、前記第２水量検知手段の検知水量が上限水量以上か未満かを判断する第２上限判断手段と、前記第１色度検知手段の検知色度が所定色度以下か否かを判断する第１色度判断手段と、前記第２色度検知手段の検知色度が所定色度以下か否かを判断する第２色度判断手段と、前記第１上限判断手段が上限水量未満であると判断した場合に、前記第１反応槽への流路を開くように前記ろ過水流路切換手段を指示する第１切換指示手段と、前記第２上限判断手段が上限水量未満であると判断した場合に、前記第２反応槽への流路を開くように前記ろ過水流路切換手段を指示する第２切換指示手段と、前記第１上限判断手段、又は第２上限判断手段が上限水量以上であると判断した場合、前記混合ポンプの動作を指示するポンプ動作指示手段と、前記第１上限判断手段が上限水量以上であると判断した場合に、前記循環配管の流路を前記第１反応槽と前記混合手段とをつなぐ流路に切り換えるように、前記循環流路切換手段を指示する第１循環流路切換制御手段と、前記第２上限判断手段が上限水量以上であると判断した場合に、前記循環配管の流路を前記第２反応槽と前記混合手段とをつなぐ流路に切り換えるように、前記循環流路切換手段を指示する第２循環流路切換制御手段と、前記第１上限判断手段、又は前記第２上限判断手段が上限水量以上であると判断した場合に、前記オゾン発生手段の動作を指示するオゾン発生指示手段と、前記第１色度判断手段、又は前記第２色度判断手段が所定色度以下と判断した場合に、前記循環配管から前記脱色水供給管への流路を開くように、前記脱色水供給流路開閉手段を指示する脱色水供給流路開放指示手段と、当該脱色水供給流路開放指示手段の指示によって、前記循環配管から前記脱色水供給管への流路が開かれた状態で、前記第１下限判断手段又は前記第２下限判断手段が下限水量未満であると判断した場合に、前記オゾン発生手段を停止させるオゾン発生停止手段と、前記脱色水供給流路開放指示手段の指示によって、前記循環配管から前記脱色水供給管への流路が開かれた状態で、前記第１下限判断手段又は前記第２下限判断手段が下限水量未満であると判断した場合に、前記混合ポンプを停止させるポンプ停止手段とを備えている。
【００１６】
また、請求項１０に係る発明の循環式水洗トイレシステムは、請求項９に記載の発明の構成に加え、前記所定色度は、前記脱色水供給管の出口通過時の脱色水の色度が、前記目標色度にまで脱色されている程度に調整されていることを特徴とする。
【００１７】
また、請求項１１に係る発明の循環式水洗トイレシステムは、請求項９又は１０に記載の発明の構成に加え、前記貯留槽と前記生物処理槽との間に設けられ、前記貯留槽内の脱色水を前記生物処理槽にオーバーフローさせるオーバーフロー水配管と、前記貯留槽内の満水を検知する満水検知手段と当該満水検知手段が満水を検知しない時に、前記第１反応槽及び前記第２反応槽における脱色処理回数をカウントする脱色回数カウント手段と、当該脱色回数カウント手段のカウント値に基づいて、前記満水検知手段が満水を検知した時に、前記脱色水供給流路開閉手段を開放して、前記貯留槽の脱色水をオーバーフローさせるオーバーフロー回数を設定するオーバーフロー回数設定手段とを備え、前記脱色水供給流路開放指示手段は、前記満水検知手段が満水を検知した時に、前記オーバーフロー回数にしたがって、前記脱色水供給流路開閉手段の開放を指示することを特徴とする。
【００１８】
また、請求項１２に係る発明の循環式水洗トイレシステムは、請求項１１に記載の発明の構成に加え、前記オーバーフロー回数設定手段は、前記カウント値が所定回数以上の場合は、前記カウント値が所定回数未満の場合よりも、前記オーバーフロー回数を多く設定することを特徴とする。
【００１９】
また、請求項１３に係る発明の循環式水洗トイレシステムは、請求項９又は１０に記載の発明の構成に加え、前記脱色槽と前記生物処理槽との間に設けられ、前記貯留槽内の脱色水を前記生物処理槽にオーバーフローさせるオーバーフロー水配管と、前記貯留槽に設けられ、前記貯留槽内における脱色水の満水を検知する満水検知手段と、前記第１反応槽及び前記第２反応槽の少なくとも何れかに設けられ、前記第１反応槽又は前記第２反応槽内に供給されたろ過水の色度を検知するろ過水色度検知手段とを備え、前記ポンプ動作指示手段は、前記満水検知手段が満水を検知し、かつ前記ろ過水色度検知手段の検知した色度が基準色度未満の場合、前記混合ポンプを動作させないことを特徴とする。
【発明の効果】
【００２０】
請求項１に係る循環式水洗トイレシステムでは、水洗便器からの汚水は生物処理槽で処理され、ろ過槽でろ過される。ろ過水は、第１反応槽および第２反応槽に供給されるとともに、混合脱色手段によってオゾン脱色される。オゾン脱色された脱色水は貯留槽に供給され、再度水洗便器に循環されて使用される。この循環式水洗トイレシステムにおいて、ろ過槽内のろ過水は、ろ過水供給管内の流路を流れることによって、第１反応槽又は第２反応槽に向かって供給される。そして、ろ過水供給管内の流路は、ろ過水供給切換手段の切換動作によって、第１反応槽への流路と、第２反応槽への流路とに各々切り換えられる。また、第１反応槽の貯水量は第１水量検知手段によって検知され、第２反応槽の貯水量は第２水量検知手段によって検知される。ここで、例えば、第１上限判断手段によって第１反応槽の貯水量が上限水量未満であると判断されると、第１切換指示手段によって、第１反応槽への流路を開くようにろ過水流路切換手段が指示される。これにより、第１反応槽内にろ過水を供給できる。一方、第２上限判断手段によって第２反応槽の貯水量が上限水量未満であると判断されると、第２切換指示手段によって、第２反応槽への流路を開くようにろ過水流路切換手段が指示される。これにより、第２反応槽内にろ過水を供給できる。
【００２１】
そして、第１反応槽又は第２反応槽内のろ過水は、循環配管を通過し、混合ポンプによってオゾン発生手段によって発生されたオゾンと混合されて反応する。さらに、混合ポンプでオゾンが混合されたろ過水は、該混合ポンプの吐出動作によって、循環配管を介し、第１反応槽又は第２反応槽との間を循環する。そして、この循環流路は、循環流路切換手段の動作によって、混合ポンプと第１反応槽とをつなぐ流路と、混合ポンプと第２反応槽とをつなぐ流路とに切り換えられる。ここで、例えば、第１上限判断手段によって第１反応槽の貯水量が上限水量以上であると判断されると、第１循環流路切換制御手段によって、循環配管の流路を、第１反応槽と混合ポンプとをつなぐ流路に切り換えるように、循環流路切換手段が制御される。そして、オゾン発生指示手段によってオゾン発生手段の動作が指示される。さらに、ポンプ動作指示手段によって混合ポンプの動作が指示される。これにより、第１反応槽と混合ポンプとの間で、第１反応槽内のろ過水を循環配管を介して循環させることができるので、ろ過水を効率よく脱色することができる。
【００２２】
一方、第２上限判断手段によって、第２反応槽の貯水量が上限水量以上であると判断されると、第２循環流路切換制御手段によって、循環配管の流路を、第２反応槽と混合ポンプとをつなぐ流路に切り換えるように、循環流路切換手段が制御される。そして、オゾン発生指示手段によってオゾン発生手段の動作が指示される。さらに、ポンプ動作指示手段によって混合ポンプの動作が指示される。これにより、第２反応槽内のろ過水を、第２反応槽と混合ポンプとの間で、循環配管を介して循環させることができるので、ろ過水を効率よく脱色することができる。
【００２３】
このように、第１反応槽及び第２反応槽内のろ過水をそれぞれ循環脱色する際に、循環流路切換手段の動作が制御されることによって、循環配管内の流路がそれぞれ切り換わるので１つの循環配管を共有することができる。これにより、循環式水洗トイレシステムをコンパクトにできるので、設置スペースの縮小化を図ることができる。さらに、１個の混合ポンプで、第１反応槽及び第２反応槽内のろ過水を循環させることができるので、循環式水洗トイレシステムをさらにコンパクトにできる。また、循環配管及び混合ポンプを共有できるので部品コストを節約することができる。
【００２４】
また、混合ポンプの動作時間は時間計測手段によって計測される。そして、所定時間判断手段によって、計測時間が所定時間以上であると判断されると、オゾン発生停止手段によってオゾン発生手段の動作が停止される。さらに、脱色水供給流路開放指示手段によって、循環配管から脱色水供給管への流路を開くように、脱色水供給流路開閉手段が指示される。これにより、第１反応槽又は第２反応槽内に生成した脱色水を循環配管、脱色水供給管を介して貯留槽に供給することができる。そして、第１下限判断手段又は第２下限判断手段が下限水量未満であると判断した場合は、貯留槽に供給すべき脱色水が第１反応槽又は第２反応槽にはないので、ポンプ停止手段によって混合ポンプが停止される。これにより、第１反応槽又は第２反応槽の脱色水がない場合は、自動的に混合ポンプを停止することができるので電力コストを節約することができる。
【００２５】
また、請求項２に係る発明の循環式水洗トイレシステムでは、請求項１に記載の発明の効果に加え、所定時間は、第１反応槽及び第２反応槽内のろ過水が目標色度まで脱色されるのに要する時間に調整されているので、混合ポンプが所定時間動作することで、第１反応槽又は第２反応槽内のろ過水を目標色度まで自動的に脱色することができる。よって、貯留槽内には常に目標色度にまで脱色された脱色水を供給することができる。
【００２６】
また、請求項３に係る発明の循環式水洗トイレシステムでは、水洗便器からの汚水は生物処理槽で処理され、ろ過槽でろ過される。ろ過水は、第１反応槽および第２反応槽に供給されるとともに、混合脱色手段によってオゾン脱色される。オゾン脱色された脱色水は貯留槽に供給され、再度水洗便器に循環されて使用される。この循環式水洗トイレシステムにおいて、ろ過槽内のろ過水は、ろ過水供給管内の流路を流れることによって、第１反応槽又は第２反応槽に向かって供給される。そして、ろ過水供給管内の流路は、ろ過水供給切換手段の切換動作によって、第１反応槽への流路と、第２反応槽への流路とに各々切り換えられる。また、第１反応槽の貯水量は第１水量検知手段によって検知され、第２反応槽の貯水量は第２水量検知手段によって検知される。ここで、例えば、第１上限判断手段によって第１反応槽の貯水量が上限水量未満であると判断されると、第１切換指示手段によって、第１反応槽への流路を開くようにろ過水流路切換手段が指示される。これにより、第１反応槽内にろ過水を供給できる。一方、第２上限判断手段によって第２反応槽の貯水量が上限水量未満であると判断されると、第２切換指示手段によって、第２反応槽への流路を開くようにろ過水流路切換手段が指示される。これにより、第２反応槽内にろ過水を供給できる。
【００２７】
そして、第１反応槽又は第２反応槽内のろ過水は、循環配管を通過し、混合ポンプによってオゾン発生手段によって発生されたオゾンと混合されて反応する。さらに、混合ポンプでオゾンが混合されたろ過水は、該混合ポンプの吐出動作によって、循環配管を介し、第１反応槽又は第２反応槽との間を循環する。そして、この循環流路は、循環流路切換手段の動作によって、混合ポンプと第１反応槽とをつなぐ流路と、混合ポンプと第２反応槽とをつなぐ流路とに切り換えられる。ここで、例えば、第１上限判断手段によって第１反応槽の貯水量が上限水量以上であると判断されると、第１循環流路切換制御手段によって、循環配管の流路を、第１反応槽と混合ポンプとをつなぐ流路に切り換えるように、循環流路切換手段が制御される。そして、オゾン発生指示手段によってオゾン発生手段の動作が指示される。さらに、ポンプ動作指示手段によって混合ポンプの動作が指示される。これにより、第１反応槽と混合ポンプとの間で、第１反応槽内のろ過水を循環配管を介して循環させることができるので、ろ過水を効率よく脱色することができる。
【００２８】
一方、第２上限判断手段によって、第２反応槽の貯水量が上限水量以上であると判断されると、第２循環流路切換制御手段によって、循環配管の流路を、第２反応槽と混合ポンプとをつなぐ流路に切り換えるように、循環流路切換手段が制御される。そして、オゾン発生指示手段によってオゾン発生手段の動作が指示される。さらに、ポンプ動作指示手段によって混合ポンプの動作が指示される。これにより、第２反応槽内のろ過水を、第２反応槽と混合ポンプとの間で、循環配管を介して循環させることができるので、ろ過水を効率よく脱色することができる。
【００２９】
このように、第１反応槽及び第２反応槽内のろ過水をそれぞれ循環脱色する際に、循環流路切換手段の動作が制御されることによって、循環配管内の流路がそれぞれ切り換わるので１つの循環配管を共有することができる。これにより、循環式水洗トイレシステムをコンパクトにできるので、設置スペースの縮小化を図ることができる。さらに、１個の混合ポンプで、第１反応槽及び第２反応槽内のろ過水を循環させることができるので、循環式水洗トイレシステムをさらにコンパクトにできる。また、循環配管及び混合ポンプを共有できるので部品コストを節約することができる。
【００３０】
また、混合ポンプの動作時間は時間計測手段によって計測される。そして、所定時間判断手段によって、計測時間が所定時間以上であると判断されると、脱色水供給流路開放指示手段によって、循環配管から脱色水供給管への流路を開くように、脱色水供給流路開閉手段が指示される。このとき、オゾン発生手段はオゾンを発生し続けているので、混合ポンプではさらに脱色水にオゾンが混合される。これにより、脱色水供給管内を通過する際にもオゾンによる混合脱色がなされるので、ろ過水のオゾン脱色にかかる時間をさらに短縮することができる。
【００３１】
そして、脱色水供給流路開放指示手段の指示によって、循環配管から脱色水供給管への流路が開かれた状態で、第１下限判断手段又は第２下限判断手段が下限水量未満であると判断した場合に、オゾン発生停止手段によってオゾン発生手段が停止される。さらに、ポンプ停止手段によって、混合ポンプの動作が停止される。これにより、貯留槽に供給すべき脱色水が第１反応槽又は第２反応槽にない場合は、自動的にオゾン発生手段と、混合ポンプとを共に停止することができる。
【００３２】
また、請求項４に係る発明の循環式水洗トイレシステムでは、請求項３に記載の発明の効果に加え、脱色水供給管内を通過する際にもオゾンによる混合脱色がなされるので、ろ過水のオゾン脱色にかかる所定時間を、目標色度よりも高い所定色度まで脱色されるのに要する時間にまで短縮することができる。これにより、ろ過水の循環脱色を開始してから貯留槽に供給し終えるまでの時間を短縮できるので、ろ過水を効率的かつ迅速に脱色することができる。
【００３３】
また、請求項５に係る発明の循環式水洗トイレシステムでは、請求項４に記載の発明の効果に加え、所定色度は、脱色水供給管の出口通過時の脱色水の色度が、目標色度にまで脱色されている程度に調整されている。これにより、第１反応槽又は第２反応槽で所定時間循環脱色された脱色水は所定色度にまで脱色され、さらに脱色水供給管を通過する際に脱色されるので、脱色水供給管の出口通過時には目標色度にまで脱色された脱色水を得ることができる。
【００３４】
また、請求項６に係る発明の循環式水洗トイレシステムでは、請求項１乃至５の何れかに記載の発明の効果に加え、混合ポンプで貯留槽に脱色水を供給することによって、貯留層内の脱色水をオーバーフロー水配管を介し、生物処理槽にオーバーフローさせることができる。これにより、オーバーフロー水量を調整することによって、生物処理槽内の生物処理水の色度を希釈することができるので、ろ過水の色度を調整することができる。
【００３５】
また、脱色回数カウント手段は、満水検知手段が満水を検知しない時に、第１反応槽及び第２反応槽における脱色処理回数をカウントできる。例えば、昼間のような使用頻度の高い時間帯では、貯留槽内の脱色水は常に使用され続けて満水にならない。よって、脱色回数カウント手段は、昼間の時間帯における脱色処理回数をカウントできる。そして、オーバーフロー回数設定手段は、この脱色回数カウント手段がカウントしたカウント値に応じて、貯留槽の脱色水をオーバーフローさせるオーバーフロー回数を設定できる。さらに、脱色回数カウント手段のカウント値から、水洗便器の使用頻度を推測でき、ろ過水の色度も推測できる。これにより、ろ過水の色度に応じて、オーバーフロー水量を調節できるので、ろ過水の色度を調節することができる。
【００３６】
また、請求項７に係る発明の循環式水洗トイレシステムでは、請求項６に記載の発明の効果に加え、脱色回数カウント手段のカウント値に対し、水洗便器の使用頻度と、ろ過水の色度とが比例する傾向にあるので、オーバーフロー回数設定手段は、ろ過水の色度に比例させて、オーバーフロー回数を設定することができる。さらに、オーバーフロー回数設定手段は、脱色回数カウント手段のカウント値が所定回数以上の場合は、所定回数未満の場合よりも、オーバーフロー回数を多く設定するので、ろ過水の色度に対応させて、オーバーフロー水量を調節することができる。よって、ろ過水の色度に応じて、ろ過水が希釈されるので、ろ過水の色度を一定レベルに維持することができる。さらに、ろ過水の色度を一定レベルに維持できることによって、オゾン発生手段にかかる負荷を軽減することができる。
【００３７】
また、請求項８に係る発明の循環式水洗トイレシステムでは、請求項１乃至５の何れかに記載の発明の効果に加え、混合ポンプで貯留槽に脱色水を供給することによって、貯留槽内の脱色水をオーバーフロー水配管を介し、生物処理槽にオーバーフローさせることができる。これにより、オーバーフロー水量を調整することによって、生物処理槽内の生物処理水の色度を希釈することができるので、ろ過水の色度を調整することができる。
【００３８】
そして、満水検知手段が貯留槽の満水を検知した際に、ろ過水色度検知手段の検知した第１反応槽又は第２反応槽に供給されたろ過水の色度が基準色度未満の場合は、水洗便器の使用頻度が少なかったことが推測される。この場合、ポンプ動作指示手段は混合ポンプを動作させないので、貯留槽内の脱色水を生物処理槽にオーバーフローさせない。
【００３９】
これとは逆に、ろ過水色度検知手段の検知した第１反応槽又は第２反応槽に供給されたろ過水の色度が基準色度以上の場合は、水洗便器の使用頻度が多かったことが推測される。この場合、ポンプ動作指示手段は通常通り混合ポンプを動作させて、貯留槽内の脱色水を生物処理槽にオーバーフローさせる。これにより、ろ過水の色度が低下するので、上昇した洗浄水の色度を低下させることができる。このように、ろ過水の色度によって、オーバーフロー水量を調整することができるので、ろ過水の色度を一定の範囲内に維持することができる。
【００４０】
また、請求項９に係る発明の循環式水洗トイレシステムでは、水洗便器からの汚水は生物処理槽で処理され、ろ過槽でろ過される。ろ過水は、第１反応槽および第２反応槽に供給されるとともに、混合脱色手段によってオゾン脱色される。オゾン脱色された脱色水は貯留槽に供給され、再度水洗便器に循環されて使用される。この循環式水洗トイレシステムにおいて、ろ過槽内のろ過水は、ろ過水供給管内の流路を流れることによって、第１反応槽又は第２反応槽に向かって供給される。そして、ろ過水供給管内の流路は、ろ過水供給切換手段の切換動作によって、第１反応槽への流路と、第２反応槽への流路とに各々切り換えられる。また、第１反応槽の貯水量は第１水量検知手段によって検知され、第２反応槽の貯水量は第２水量検知手段によって検知される。ここで、例えば、第１下限判断手段によって第１反応槽の貯水量が下限水量未満であると判断されると、第１切換指示手段によって、第１反応槽への流路を開くようにろ過水流路切換手段が指示される。これにより、第１反応槽内にろ過水が供給されるので、第１反応槽内のろ過水を下限水量以上に維持できる。一方、第２下限判断手段によって第２反応槽の貯水量が下限水量未満であると判断されると、第２切換指示手段によって、第２反応槽への流路を開くようにろ過水流路切換手段が指示される。これにより、第２反応槽内にろ過水が供給されるので、第２反応槽内のろ過水を下限水量以上に維持できる。
【００４１】
そして、第１反応槽又は第２反応槽内のろ過水は、循環配管を通過し、混合ポンプによってオゾン発生手段によって発生されたオゾンと混合されて反応する。さらに、混合ポンプでオゾンが混合されたろ過水は、該混合ポンプの吐出動作によって、循環配管を介し、第１反応槽又は第２反応槽との間を循環する。そして、この循環流路は、循環流路切換手段の動作によって、混合ポンプと第１反応槽とをつなぐ流路と、混合ポンプと第２反応槽とをつなぐ流路とに切り換えられる。ここで、例えば、第１上限判断手段によって第１反応槽の貯水量が上限水量以上であると判断されると、第１循環流路切換制御手段によって、循環配管の流路を、第１反応槽と混合ポンプとをつなぐ流路に切り換えるように、循環流路切換手段が制御される。そして、オゾン発生指示手段によってオゾン発生手段の動作が指示される。さらに、ポンプ動作指示手段によって混合ポンプの動作が指示される。これにより、第１反応槽と混合ポンプとの間で、第１反応槽内のろ過水を循環配管を介して循環させることができるので、ろ過水を効率よく脱色することができる。
【００４２】
一方、第２上限判断手段によって、第２反応槽の貯水量が上限水量以上であると判断されると、第２循環流路切換制御手段によって、循環配管の流路を、第２反応槽と混合ポンプとをつなぐ流路に切り換えるように、循環流路切換手段が制御される。そして、オゾン発生指示手段によってオゾン発生手段の動作が指示される。さらに、ポンプ動作指示手段によって混合ポンプの動作が指示される。これにより、第２反応槽内のろ過水を、第２反応槽と混合ポンプとの間で、循環配管を介して循環させることができるので、ろ過水を効率よく脱色することができる。
【００４３】
このように、第１反応槽及び第２反応槽内のろ過水をそれぞれ循環脱色する際に、循環流路切換手段の動作が制御されることによって、循環配管内の流路がそれぞれ切り換わるので１つの循環配管を共有することができる。これにより、循環式水洗トイレシステムをコンパクトにできるので、設置スペースの縮小化を図ることができる。さらに、１個の混合ポンプで、第１反応槽及び第２反応槽内のろ過水を循環させることができるので、循環式水洗トイレシステムをさらにコンパクトにできる。また、循環配管及び混合ポンプを共有できるので部品コストを節約することができる。
【００４４】
また、第１反応槽内の貯水の色度は、第１色度検知手段によって検知される。一方、第２反応槽内の貯水の色度は、第２色度検知手段によって検知される。そして、第１反応槽又は第２反応槽内のろ過水の脱色処理が進行し、第１色度判断手段又は前記第２色度判断手段によって所定色度以下と判断された場合は、脱色水供給流路開放指示手段によって、循環配管から脱色水供給管への流路を開くように、脱色水供給流路開閉手段が指示される。このとき、オゾン発生手段はオゾンを発生し続けているので、混合ポンプではさらに脱色水にオゾンが混合される。これにより、脱色水供給管内を通過する際にもオゾンによる混合脱色がなされるので、ろ過水のオゾン脱色にかかる時間をさらに短縮することができる。
【００４５】
そして、脱色水供給流路開放指示手段の指示によって、循環配管から脱色水供給管への流路が開かれた状態で、第１下限判断手段又は第２下限判断手段が下限水量未満であると判断した場合に、オゾン発生停止手段によってオゾン発生手段が停止される。さらに、ポンプ停止手段によって、混合ポンプの動作が停止される。これにより、貯留槽に供給すべき脱色水が第１反応槽又は第２反応槽にない場合は、自動的にオゾン発生手段と、混合ポンプとを共に停止することができる。
【００４６】
また、請求項１０に係る発明の循環式水洗トイレシステムでは、請求項９に記載の発明の効果に加え、所定色度は、脱色水供給管の出口通過時の脱色水の色度が、目標色度にまで脱色されている程度に調整されている。これにより、第１反応槽又は第２反応槽で所定時間循環脱色された脱色水は所定色度にまで脱色され、さらに脱色水供給管を通過する際に脱色されるので、脱色水供給管の出口通過時には目標色度にまで脱色された脱色水を得ることができる。
【００４７】
また、請求項１１に係る発明の循環式水洗トイレシステムでは、請求項９又は１０に記載の発明の効果に加え、混合ポンプで貯留槽に脱色水を供給することによって、貯留槽内の脱色水をオーバーフロー水配管を介し、生物処理槽にオーバーフローさせることができる。これにより、オーバーフロー水量を調整することによって、生物処理槽内の生物処理水の色度を希釈することができるので、ろ過水の色度を調整することができる。
【００４８】
また、脱色回数カウント手段は、満水検知手段が満水を検知しない時に、第１反応槽及び第２反応槽における脱色処理回数をカウントできる。例えば、昼間のような使用頻度の高い時間帯では、貯留槽内の脱色水は常に使用され続けて満水にならない。よって、脱色回数カウント手段は、昼間の時間帯における脱色処理回数をカウントできる。そして、オーバーフロー回数設定手段は、この脱色回数カウント手段がカウントしたカウント値に応じて、貯留槽の脱色水をオーバーフローさせるオーバーフロー回数を設定できる。さらに、脱色回数カウント手段のカウント値から、水洗便器の使用頻度を推測でき、ろ過水の色度も推測できる。これにより、ろ過水の色度に応じて、オーバーフロー水量を調節できるので、ろ過水の色度を調節することができる。
【００４９】
また、請求項１２に係る発明の循環式水洗トイレシステムでは、請求項１１に記載の発明の効果に加え、脱色回数カウント手段のカウント値に対し、水洗便器の使用頻度と、ろ過水の色度とが比例する傾向にあるので、オーバーフロー回数設定手段は、ろ過水の色度に比例させて、オーバーフロー回数を設定することができる。さらに、オーバーフロー回数設定手段は、脱色回数カウント手段のカウント値が所定回数以上の場合は、所定回数未満の場合よりも、オーバーフロー回数を多く設定するので、ろ過水の色度に対応させて、オーバーフロー水量を調節することができる。よって、ろ過水の色度に応じて、ろ過水が希釈されるので、ろ過水の色度を一定レベルに維持することができる。さらに、ろ過水の色度を一定レベルに維持できることによって、オゾン発生手段にかかる負荷を軽減することができる。
【００５０】
また、請求項１３に係る発明の循環式水洗トイレシステムでは、請求項９又は１０に記載の発明の効果に加え、混合ポンプで脱色槽に脱色水を供給することによって、脱色槽内の脱色水をオーバーフロー水配管を介し、生物処理槽にオーバーフローさせることができる。これにより、オーバーフロー水量を調整することによって、生物処理槽内の生物処理水の色度を薄めることができ、ろ過槽でろ過されるろ過水の色度を調整することができる。
【００５１】
そして、満水検知手段が貯留槽の満水を検知した際に、ろ過水色度検知手段の検知した第１反応槽又は第２反応槽に供給されたろ過水の色度が基準色度未満の場合は、水洗便器の使用頻度が少なかったことが推測される。この場合、ポンプ動作指示手段は混合ポンプを動作させないので、貯留槽内の脱色水を生物処理槽にオーバーフローさせない。
【００５２】
これとは逆に、ろ過水色度検知手段の検知した第１反応槽又は第２反応槽に供給されたろ過水の色度が基準色度以上の場合は、水洗便器の使用頻度が多かったことが推測される。この場合、ポンプ動作指示手段は通常通り混合ポンプを動作させて、貯留槽内の脱色水を生物処理槽にオーバーフローさせる。これにより、ろ過水の色度が低下するので、上昇した洗浄水の色度を低下させることができる。このように、ろ過水の色度によって、オーバーフロー水量を調整することができるので、ろ過水の色度を一定の範囲内に維持することができる。
【発明を実施するための最良の形態】
【００５３】
以下、本発明の第１の実施形態である循環式水洗トイレシステム１について、図面に基づいて説明する。図１は、循環式水洗トイレシステム１のブロック図であり、図２は、循環式水洗トイレシステム１の構成図であり、図３は、オゾン脱色部８及びコントローラ１０の構成を示す構成図であり、図４は、オゾン脱色部８における処理の流れを示す説明図（第１反応槽３１にろ過水供給）であり、図５は、オゾン脱色部８における処理の流れを示す説明図（第１反応槽３１の脱色処理：第２反応槽３２にろ過水供給）であり、図６は、オゾン脱色部８における処理の流れを示す説明図（第１反応槽３１から貯留槽９に脱色水供給）であり、図７は、オゾン脱色部８における処理の流れを示す説明図（第２反応槽３２の脱色処理：第１反応槽３１にろ過水供給）であり、図８は、オゾン脱色部８における処理の流れを示す説明図（第２反応槽３２から貯留槽９に脱色水供給）であり、図９は、ＣＰＵ１０ａによる第１反応槽脱色処理の制御動作を示すフローチャート（第１の実施形態）であり、図１０は、ＣＰＵ１０ａによる第２反応槽脱色処理の制御動作を示すフローチャート（第１の実施形態）である。
【００５４】
なお、第１の実施形態の循環式水洗トイレシステム１は、ろ過水をオゾン脱色するオゾン脱色部８を備えている。このオゾン脱色部８は、２つの反応槽（第１反応槽３１，第２反応槽３２）と、混合ポンプ１２と、循環配管４１〜４７と、オゾン発生器１３とを主体に構成されている。そして、循環配管４１〜４７にそれぞれ設けられた電磁弁５２〜５４を各々制御することで、循環配管４１〜４７で構成されるろ過水の循環流路を、第１循環流路と第２循環流路とに切り換えることができる点が特徴である。
【００５５】
はじめに、循環式水洗トイレシステム１の全体構成について概略的に説明する。図１に示すように、循環式水洗トイレシステム１は、水洗便器５と、該水洗便器５からの汚水を受け入れ、汚水中に含まれる有機物を分解するとともに、硝化脱窒を行う生物処理槽６と、該生物処理槽６で処理され、汚泥が混在する生物処理水を固液分離（ろ過）するろ過槽７と、該ろ過槽７でろ過されたろ過水にオゾンを混合して、循環脱色を行うオゾン脱色部８と、該オゾン脱色部８で循環脱色された脱色水を貯留する貯留槽９とを主体に構成されている。そして、貯留槽９と水洗便器５の間には洗浄水供給管１５が設けられ、該洗浄水供給管１５にはポンプ１６が設けられている。このポンプ１６が運転することで、貯留槽９に貯留された脱色水が洗浄水供給管１５を介して水洗便器５に供給され、洗浄水として再利用される。さらに、循環式水洗トイレシステム１は、上記各処理槽における処理動作を制御するコントローラ１０（図２参照）を備えている。
【００５６】
次に、生物処理槽６について説明する。図２に示すように、生物処理槽６は、汚水中のアンモニアを硝化処理して、硝酸に変換する硝化槽６ｂと、硝化槽６ｂで硝化処理された硝酸を脱窒処理して窒素ガスに変換して大気中に放出する脱窒槽６ａとから構成されている。なお、硝化槽６ｂと脱窒槽６ａとの間を仕切る壁には、生物処理水が移動するための穴（図示外）が設けられている。また、硝化槽６ｂの底部には散気管１９が設置され、該散気管１９は、配管１８ａを介して間欠式のブロワー１８に接続されている。さらに、硝化槽６ｂには水中ポンプ（図示外）が設けられ、該水中ポンプの稼働によって、硝化槽６ｂ内の生物処理水がろ過槽７に供給される。
【００５７】
次に、ろ過槽７について説明する。図２に示すように、ろ過槽７には、複数のろ過膜を支持枠（図示外）の内側に支持するろ過装置１７が配置されている。このろ過装置１７は、汚泥が混在する生物処理水をろ過できる。また、ろ過装置１７のろ過水が流出する出口にはろ過水供給管２５が接続され、該ろ過水供給管２５の下流側一端部は、オゾン脱色部８の後述する電磁弁５１の入口に接続されている。なお、ろ過槽７の水面は、オゾン脱色部８の第１反応槽３１及び第２反応槽３２の水面よりも高くなっている。これにより、ろ過槽７に供給された生物処理水は、ろ過装置１７の複数のろ過膜を通過し、ろ過水供給管２５を介して、オゾン脱色部８に自然に流入する。
【００５８】
また、ろ過槽７の底部には、散気管２０が設置され、該散気管２０は、配管１８ｂを介して間欠式のブロワー１８に接続されている。よって、散気管２０から送出された気泡によって、散気管２０の上方に配置されたろ過装置１７のろ過膜の表面に付着した汚泥等の異物が除去される。さらに、ろ過槽７には、汚泥を含む生物処理水が貯留され、散気管２０によって曝気されるので、ろ過槽７でも微生物による硝化反応が行われている。
【００５９】
次に、本発明の特徴であるオゾン脱色部８について説明する。図２に示すように、このオゾン脱色部８は、第１反応槽３１及び第２反応槽３２と、該第１反応槽３１又は第２反応槽３２内のろ過水にオゾンを混合して反応させる混合ポンプ１２と、該混合ポンプ１２と第１反応槽３１又は第２反応槽３２との間でオゾン混合水を循環させる循環配管４１〜４７と、空気を原料としてオゾンを発生して、混合ポンプ１２に供給するオゾン発生器１３とを主体に構成されている。
【００６０】
まず、第１反応槽３１、第２反応槽３２について説明する。図３に示すように、第１反応槽３１及び第２反応槽３２は、ろ過水供給管２５から供給されるろ過水を受け入れるとともに、混合ポンプ１２との間を循環して生成する脱色水を貯留する槽である。そして、第１反応槽３１の内側には、第１反応槽３１の上部から下側まで延設されたフロート取付板３５が配設されている。このフロート取付板３５の上部には、第１反応槽３１の水位が上限水位に到達したか否かを検知する第１上限フロート７０が固定され、下部には、第１反応槽３１の水位が下限水位未満か否かを検知する第１下限フロート７１が固定されている。なお、第１上限フロート７０の固定位置は、第１反応槽３１内におけるろ過水（又は脱色水）の上限水位の位置に調整され、第１下限フロート７１の固定位置は、第１反応槽３１内におけるろ過水（又は脱色水）の下限水位の位置に調整されている。
【００６１】
一方、第２反応槽３２の内側にも、第２反応槽３２の上部から下側まで延設されたフロート取付板３６が配設されている。このフロート取付板３６の上部には、第２反応槽３２の水位が上限水位に到達したか否かを検知する第２上限フロート７３が固定され、下部には、第２反応槽３２の水位が下限水位未満か否かを検知する第２下限フロート７４が固定されている。そして、第２上限フロート７３の固定位置は、第２反応槽３２内におけるろ過水（又は脱色水）の上限水位の位置に調整され、第２下限フロート７４の固定位置は、第２反応槽３２内におけるろ過水（又は脱色水）の下限水位の位置に調整されている。
【００６２】
なお、これら各種フロートは一般的なフロートスイッチであり、第１反応槽３１及び第２反応槽３２の各水位によってスイッチのオンオフが切り替わる。そして、これら第１上限フロート７０、第１下限フロート７１、第２上限フロート７３、第２下限フロート７４は、コントローラ１０の後述するＩ／Ｏインタフェイス１０ｄに接続され、各種フロートから出力されたオンオフ信号が各々入力される。これにより、コントローラ１０の後述するＣＰＵ１０ａは、第１反応槽３１及び第２反応槽３２の各水位を検知できる。
【００６３】
次に、第１反応槽３１及び第２反応槽３２にろ過水を供給するための配管構成について説明する。図３に示すように、第１反応槽３１の側壁の上段には、ろ過水が流入するろ過水配管３８の一端部が接続され、第２反応槽３２の側壁の上段には、ろ過水が流入するろ過水配管３９の一端部が接続されている。そして、このろ過水配管３８の他端部と、ろ過水配管３９の他端部との間には、一つの入口及び二つの出口を備えた三方電磁弁である電磁弁５１の各出口が接続されている。この電磁弁５１のバルブ内には二つの弁座が設けられ、常に何れか一方の弁座が開かれ、他方の弁座は閉じられた状態となっている。これにより、電磁弁５１のバルブ内では２つの流路を互いに切り換えることができる。また、電磁弁５１の入口には、ろ過水供給管２５の下流側一端部が接続されている。よって、ろ過水供給管２５から供給されたろ過水は、電磁弁５１からろ過水配管３８に、又はろ過水配管３９に流れるので、第１反応槽３１又は第２反応槽３２に各々供給することができる。
【００６４】
次に、混合ポンプ１２について説明する。この混合ポンプ１２は、周知の気液混合ポンプである。混合ポンプ１２は、ポンプ本体と、オゾンが流入するためのオゾン入口と、ろ過水が流入するためのろ過水入口と、オゾン混合水が流出するための混合水出口とを備えている。よって、ろ過水入口から流入したろ過水は、ポンプ本体内でオゾン入口から流入したオゾンと混合され、混合水出口からオゾン混合水となって外部に流出させることができる。
【００６５】
次に、循環配管４１〜４７の配管構成について説明する。図３に示すように、第１反応槽３１の側壁の中段には、循環配管４１の一端部が接続され、第２反応槽３２の側壁の中段には、循環配管４２の一端部が接続されている。そして、循環配管４１の他端部と、循環配管４２の他端部との間には、一つの入口及び二つの出口を備えた三方電磁弁である電磁弁５２の各出口が接続されている。一方、第１反応槽３１の側壁の下段には、循環配管４３の一端部が接続され、第２反応槽３２の側壁の下段には、循環配管４４の一端部が接続されている。そして、循環配管４４の他端部と、循環配管４３の他端部との間には、二つの入口及び一つの出口を備えた三方電磁弁である電磁弁５３の各入口が接続されている。
【００６６】
また、混合ポンプ１２の混合水出口には、循環配管４５の一端部が接続されている。さらに、その循環配管４５の他端部には、一つの入口及び二つの出口を備えた三方電磁弁である電磁弁５４の入口が接続されている。さらに、その電磁弁５４の一方の出口と、電磁弁５２の入口との間には、循環配管４６が接続されている。また、電磁弁５３の出口と、混合ポンプ１２のろ過水入口との間には、循環配管４７が接続されている。また、電磁弁５４の他方の出口には、脱色水供給管５０の一端部が接続され、他端部は貯留槽９に接続されている。なお、循環配管４６には、流路の開閉を手動で行う手動弁６１が設けられ、脱色水供給管５０にも、流路の開閉を手動で行う手動弁６２が設けられている。これら手動弁６１，６２は常時半開状態にあり、循環配管４６及び脱色水供給管５０内での水圧を高く保つことでオゾンをより多く溶解させ、脱色反応を促進させるようにしている。このように配置された循環配管４１〜４７と、電磁弁５２〜５４とによって、第１反応槽３１と混合ポンプ１２とをつなぐ第１循環流路と、第２反応槽３２と混合ポンプ１２とをつなぐ第２循環流路とをそれぞれ形成することができる。なお、これら第１循環流路と第２循環流路については後述する。
【００６７】
次に、コントローラ１０について説明する。図３に示すように、コントローラ１０は、中央演算処理装置としてのＣＰＵ１０ａと、該ＣＰＵ１０ａを中心に相互に接続されたＲＯＭ１０ｂと、ＲＡＭ１０ｃと、タイマ１０ｅとを備えている。なお、ＲＡＭ１０ｃは実行中のプログラムを一時的に記憶したり、各種データ等を記憶する読み出し及び書き込み可能なメモリであり、ＲＯＭ１０ｂは内蔵されている各種プログラム等を記憶する読み出し専用のメモリである。また、ＣＰＵ１０ａにはＩ／Ｏインタフェイス１０ｄが接続されている。このＩ／Ｏインタフェイス１０ｄには、図示外の配線を介して、電磁弁５１，５２，５３，５４と、ブロワー１８と、混合ポンプ１２と、オゾン発生器１３と、第１上限フロート７０、第１下限フロート７１、第２上限フロート７３及び第２下限フロート７４とが各々接続されている。
【００６８】
次に、オゾン脱色部８の第１循環流路及び第２循環流路について説明する。上記したように、オゾン脱色部８では、循環配管４１〜４７に設けられた電磁弁５２〜５４を制御することにより、第１反応槽３１と混合ポンプ１２との間をつなぎ、第１反応槽３１内のろ過水にオゾンを混合して循環させる第１循環流路と、第２反応槽３２と混合ポンプ１２との間をつなぎ、第２反応槽３２内のろ過水にオゾンを混合して循環させる第２循環流路とにそれぞれ切り換えることができる。
【００６９】
そして、第１循環流路とは、図５に示すように、第１反応槽３１から循環配管４３、循環配管４７、混合ポンプ１２、循環配管４５、循環配管４６、循環配管４１の順で構成されるループ状の流路である。一方、第２循環流路は、図７に示すように、第２反応槽３２から循環配管４４、循環配管４７、混合ポンプ１２、循環配管４５、循環配管４６、循環配管４２の順で構成されるループ状の流路である。そして、これら第１循環流路と、第２循環流路とを交互に切り換えることによって、第１反応槽３１のろ過水の循環脱色と、第２反応槽３２のろ過水の循環脱色とを交互に行うことができる。また、第１循環流路及び第２循環流路は、循環配管４１〜４７のうち、循環配管４５，４６，４７を共有しているので、少ない配管構成で２つの循環流路を形成できる。これにより、オゾン脱色部８の構成をコンパクトに纏めることができるので、設置スペースの狭い場所でも設置可能となる。
【００７０】
次に、オゾン脱色部８の脱色水供給流路について説明する。図３に示すように、オゾン脱色部８では、電磁弁５４を制御することで、第１反応槽３１又は第２反応槽３２に貯留された脱色水を、脱色水供給管５０を介して貯留槽９に供給できる脱色水供給流路に切り換えることができる。この脱色水供給流路とは、図６又は図８に示すように、混合ポンプ１２から循環配管４５、混合ポンプ１２、脱色水供給管５０の順に構成される流路である。よって、第１反応槽３１に貯留された脱色水は、図６に示すように、循環配管４３、循環配管４７、混合ポンプ１２を介して脱色水供給管５０に流れ込み、貯留槽９に供給される。一方、第２反応槽３２に貯留された脱色水は、図８に示すように、循環配管４４、循環配管４７、混合ポンプ１２を介して脱色水供給管５０に流れ込み、貯留槽９に供給される。
【００７１】
次に、オゾン発生器１３を運転させる設定時間ｔ１について説明する。図３に示すように、オゾン発生器１３で発生されるオゾンは、オゾン供給管２７を介して、混合ポンプ１２に供給される。そして、このオゾン供給量はオゾン発生器１３の運転時間によって調整される。そこで、本実施形態では、このオゾン発生器１３の運転時間を、各反応槽（第１反応槽３１又は第２反応槽３２）の脱色処理において、各反応槽に貯留されたろ過水が目標色度にまで脱色されるのに要する時間（設定時間ｔ１）として設定される。
【００７２】
例えば、図５（図７）に示すように、第１反応槽３１（又は第２反応槽３２）のろ過水を、第１循環流路（又は第２循環流路）に循環させ、かつオゾン発生器１３を運転させた場合、オゾン発生器１３を運転させてから設定時間ｔ１が経過した後に、オゾン発生器１３を停止させれば、第１反応槽３１（又は第２反応槽３２）には目標色度にまで脱色された脱色水を得ることができる。
【００７３】
次に、オゾン脱色部８におけるＣＰＵ１０ａの制御動作について、図９，図１０に示す各フローチャートと、図５乃至図８に示す処理水の流れの説明図を参照して説明する。なお、本説明において、処理開始時には、第１反応槽３１及び第２反応槽３２にはろ過水がまだ供給されていないものとする。はじめに、循環式水洗トイレシステム１の起動スイッチ（図示外）がオンされると、第１反応槽３１のろ過水のオゾン循環脱色を行う第１反応槽脱色処理（図９参照）と、第２反応槽３２のろ過水のオゾン循環脱色を行う第２反応槽脱色処理（図１０参照）とが同時に実行される。
【００７４】
しかしながら、第１反応槽脱色処理と、第２反応槽脱色処理とでは、互いに共有する循環配管４５，４６，４７を同時に使用できない。そこで、第１反応槽脱色処理を、第２反応槽脱色処理よりも先に進行させる。よって、図１０に示す第２反応槽脱色処理では、まず、後述する第１反応槽脱色処理において、第２反応槽３２の処理開始を許可するための第２反応槽処理開始信号（図９：Ｓ１４参照）が出力されたか否かが判断される（Ｓ３１）。そして、第２反応槽処理開始信号が出力されるまでは（Ｓ３１：ＮＯ）、処理を進行せず、第２反応槽処理開始信号が出力されるまではＳ３１に戻って待機状態とされる。
【００７５】
一方、第１反応槽脱色処理では、図９に示すように、はじめに、第１反応槽３１が上限水位未満か否かが判断される（Ｓ１１）。ここで、第１反応槽３１のろ過水の水位が上限水位未満の場合（Ｓ１１：ＹＥＳ）、電磁弁５１におけるろ過水配管３８側の弁座が開かれ、ろ過水配管３９側の弁座が閉じられる。すると、図４に示すように、ろ過水供給管２５を流れるろ過水は電磁弁５１からろ過水配管３８に流れ込み、第１反応槽３１内に供給される（Ｓ１２）。一方、第１反応槽３１が上限水位以上の場合（Ｓ１１：ＮＯ）は、第１反応槽３１にろ過水を供給する必要がないので、第２反応槽３２の処理の開始を許可する第２反応槽処理開始信号が出力される（Ｓ１４）。
【００７６】
また、第１反応槽３１内にろ過水が供給されると（Ｓ１２）、次に、第１反応槽３１内のろ過水が上限水位以上か否かが判断される（Ｓ１３）。そして、第１反応槽３１内のろ過水が上限水位以上でないと判断された場合は（Ｓ１３：ＮＯ）、Ｓ１２に戻って、ろ過水が引き続き供給される。さらに、ろ過水が供給され、第１反応槽３１内のろ過水が上限水位以上と判断された場合は（Ｓ１３：ＹＥＳ）、第１反応槽３１にろ過水を供給する必要がないので、第２反応槽３２の処理の開始を許可する第２反応槽処理開始信号が出力される（Ｓ１４）。
【００７７】
なお、後述するが、第２反応槽処理開始信号が出力されると、第２反応槽脱色処理では、電磁弁５１におけるろ過水配管３９側の弁座が開かれ、ろ過水配管３８側の弁座が閉じられる。そして、図５に示すように、第２反応槽３２にろ過水が供給される（図１０：Ｓ３３）。
【００７８】
次に、第２反応槽３２が循環脱色処理中か否かが判断される（Ｓ１５）。ここで、第２反応槽３２のろ過水が循環脱色処理中である場合、循環配管４５，４７を使用できない。よって、第２反応槽３２が循環脱色処理中の場合は（Ｓ１５：ＹＥＳ）、Ｓ１３に戻って処理が繰り返される。また、第２反応槽３２が循環脱色処理中でない場合は（Ｓ１５：ＮＯ）、電磁弁５２，５３，５４が各々切り換えられることで、第１循環流路が開放される（Ｓ１６）。具体的に言うと、電磁弁５３では、循環配管４３から循環配管４７に流路をつなぐように弁座が開かれ、電磁弁５４では、循環配管４５から循環配管４６に流路をつなぐように弁座が開かれ、電磁弁５２では、循環配管４６から循環配管４１に流路をつなぐように弁座が開かれる。これにより、第１循環流路が開放される。さらに、オゾン発生器１３が運転され（Ｓ１７）、混合ポンプ１２が運転される（Ｓ１８）。そして、タイマカウンタｋがリセットされるとともにスタートされる（Ｓ１９）。すると、図５に示すように、第１反応槽３１のろ過水が、第１循環流路を循環することでオゾンと反応して脱色が進む。
【００７９】
その後、オゾン発生器１３の運転時間、即ち、タイマカウンタｋの値が設定時間ｔ１に到達したか否かが判断される（Ｓ２０）。ここで、タイマカウンタｋの値が設定時間ｔ１にまだ到達していない場合は（Ｓ２０：ＮＯ）、第１反応槽３１のろ過水が目標色度にまで脱色されていないと推測できる。よって、Ｓ２０に戻り、オゾン発生器１３をそのまま運転させ、循環脱色処理を継続させるとともに、タイマカウンタｋの値が監視される。そして、タイマカウンタｋの値が設定時間ｔ１に到達した場合は（Ｓ２０：ＹＥＳ）、オゾン発生器１３が停止される（Ｓ２１）。このとき、第１反応槽３１には目標色度の脱色水が生成している。
【００８０】
次いで、第１反応槽３１内の脱色水を貯留槽９に供給するため、電磁弁５４が切り換えられて脱色水供給流路が開放される（Ｓ２２）。具体的に言うと、電磁弁５４では、循環配管４５から脱色水供給管５０に流路をつなぐように弁座が開かれる。これにより、図６に示すように、第１反応槽３１内の脱色水が、循環配管４３、循環配管４７、混合ポンプ１２、循環配管４５、脱色水供給管５０を流れ、貯留槽９に供給され、第１反応槽３１内の脱色水は徐々に減少する。
【００８１】
さらに、第１反応槽３１の脱色水の水位が下限水位未満か否かが判断される（Ｓ２３）。ここで、水位がまだ下限水位以上の場合は（Ｓ２３：ＮＯ）、Ｓ２３に戻り、脱色水を貯留槽９に引き続き供給し水位の監視が行われる。そして、水位が下限水位未満まで低下した場合（Ｓ２３：ＹＥＳ）は、第１反応槽３１には、貯留槽９に供給するだけの脱色水はもう存在しないので、混合ポンプ１２が停止される（Ｓ２４）。続いて、電磁弁５４が切り換えられて脱色水供給流路が閉塞される（Ｓ２５）。さらに、後述する第２反応槽脱色処理において、第１反応槽処理開始信号（図１０：Ｓ３５参照）が出力されたか否かが判断される（Ｓ２６）。この第１反応槽処理開始信号が出力されていない間は（Ｓ２６：ＮＯ）、第２反応槽３２にろ過水が供給されていると推測できるので、Ｓ２６に戻って待機状態とされる。そして、第２反応槽３２へのろ過水供給が終了し、第２反応槽脱色処理において、第１反応槽処理開始信号が出力された場合（Ｓ２６：ＹＥＳ）、Ｓ１１に戻って処理を繰り返す。
【００８２】
次に、第２反応槽脱色処理について説明する。上記したように、この第２反応槽脱色処理は、第１反応槽脱色処理と同時に実行される。この第２反応槽脱色処理では、図１０に示すように、まず、第２反応槽処理開始信号があったか否かが判断される（Ｓ３１）。まだ、第１反応槽脱色処理において、第２反応槽処理開始信号が出力されていない場合（Ｓ３１：ＮＯ）、第１反応槽３１にろ過水が供給されていると推測できるので、Ｓ３１に戻って待機状態とされる。そして、第２反応槽処理開始信号があった場合（Ｓ３１：ＹＥＳ）、第１反応槽３１へのろ過水供給が終了しているので、続いて、第２反応槽３２のろ過水の水位が上限水位未満か否かが判断される（Ｓ３２）。ここで、上限水位未満の場合（Ｓ３２：ＹＥＳ）、電磁弁５１のろ過水配管３９側の弁座が開かれ、ろ過水配管３８側の弁座が閉じられる。すると、図５に示すように、ろ過水供給管２５から供給されたろ過水は、電磁弁５１からろ過水配管３９に流れ込み、第２反応槽３２内に供給される（Ｓ３３）。そして、第２反応槽３２が上限水位以上の場合（Ｓ３２：ＮＯ）は、第２反応槽３２にろ過水を供給する必要がない。よって、第１反応槽３１の処理の開始を許可する第１反応槽処理開始信号が出力される（Ｓ３５）。これにより、第１反応槽脱色処理にて、この第１反応槽処理開始信号が認識されることで（図９に示すＳ２６：ＹＥＳ）、図９に示すＳ１１からの処理が実行される。
【００８３】
また、第２反応槽３２内にろ過水が供給されると（Ｓ３３）、次に、第２反応槽３２内のろ過水が上限水位以上か否かが判断される（Ｓ３４）。そして、第２反応槽３２内のろ過水が上限水位以上でないと判断された場合は（Ｓ３４：ＮＯ）、Ｓ３３に戻って、ろ過水が引き続き供給される。さらに、ろ過水が供給され、第２反応槽３２内のろ過水が上限水位以上と判断された場合は（Ｓ３４：ＹＥＳ）、第２反応槽３２にろ過水を供給する必要がないので、第１反応槽３１の処理の開始を許可する第１反応槽処理開始信号が出力される（Ｓ３５）。
【００８４】
次いで、第１反応槽３１が脱色処理中か否かが判断される（Ｓ３６）。ここで、第１反応槽３１のろ過水が脱色処理中である場合、循環配管４５，４６，４７を使用できない。よって、第１反応槽３１が循環脱色処理中の場合は（Ｓ３６：ＹＥＳ）、Ｓ３４に戻って処理が繰り返される。また、第１反応槽３１が循環脱色処理中でない場合は（Ｓ３６：ＮＯ）、電磁弁５２，５３，５４が各々切り換えられることで、第２循環流路が開放される（Ｓ３７）。具体的に言うと、電磁弁５３では、循環配管４４から循環配管４７に流路をつなぐように弁座が開かれ、電磁弁５４では、循環配管４５から循環配管４６に流路をつなぐように弁座が開かれ、電磁弁５２では、循環配管４６から循環配管４２に流路をつなぐように弁座が開かれる。これにより、第２循環流路が開放される。さらに、オゾン発生器１３が運転され（Ｓ３８）、混合ポンプ１２が運転される（Ｓ３９）。そして、タイマカウンタｋがリセットされるとともにスタートされる（Ｓ４０）。こうして、図７に示すように、第２反応槽３２内のろ過水が、第２循環流路を循環することでオゾンと反応して脱色が進む。
【００８５】
その後、オゾン発生器１３の運転時間、即ち、タイマカウンタｋの値が設定時間ｔ１に到達したか否かが判断される（Ｓ４１）。ここで、タイマカウンタｋの値が設定時間ｔ１にまだ到達していない場合は（Ｓ４１：ＮＯ）、第２反応槽３２のろ過水が目標色度にまで脱色されていないと推測できる。よって、Ｓ４１に戻り、オゾン発生器１３がそのまま運転され、循環脱色処理が継続するとともに、タイマカウンタｋの値が監視される。そして、タイマカウンタｋの値が設定時間ｔ１に到達した場合は（Ｓ４１：ＹＥＳ）、オゾン発生器１３が停止される（Ｓ４２）。このとき、第２反応槽３２には目標色度の脱色水が生成している。
【００８６】
次いで、第２反応槽３２内の脱色水を貯留槽９に供給するため、電磁弁５４が切り換えられて脱色水供給流路が開放される（Ｓ４３）。具体的に言うと、電磁弁５４では、循環配管４５から脱色水供給管５０に流路をつなぐように弁座が開かれる。これにより、図８に示すように、第２反応槽３２内の脱色水が、循環配管４４、循環配管４７、混合ポンプ１２、循環配管４５、脱色水供給管５０を流れ、貯留槽９に供給される。よって、第２反応槽３２内の脱色水の水位は徐々に減少する。
【００８７】
さらに、第２反応槽３２の脱色水の水位が下限水位未満か否かが判断される（Ｓ４４）。ここで、水位がまだ下限水位以上の場合は（Ｓ４４：ＮＯ）、Ｓ４４に戻り、脱色水が貯留槽９に引き続き供給され、水位の監視が行われる。そして、水位が下限水位未満まで低下した場合（Ｓ４４：ＹＥＳ）は、第２反応槽３２には、貯留槽９に供給するだけの脱色水は存在しないので、混合ポンプ１２が停止される（Ｓ４５）。続いて、電磁弁５４が切り換えられて脱色水供給流路が閉塞される（Ｓ４６）。その後、Ｓ３１に戻って処理が繰り返される。
【００８８】
以上説明したように、第１の実施形態である循環式水洗トイレシステム１は、オゾン脱色部８を備えている。このオゾン脱色部８は、２つの反応槽（第１反応槽３１，第２反応槽３２）と、混合ポンプ１２と、循環配管４１〜４７と、オゾン発生器１３とを備えている。そして、オゾン脱色部８は、２つの反応槽（第１反応槽３１、第２反応槽３２）にそれぞれろ過水を溜めてから、オゾンによる脱色処理をそれぞれ行う。これにより、オゾンをろ過水に確実に作用させることができるので、オゾン及びろ過水の接触効率を向上させることができる。さらに、各処理槽内に生成した脱色水には新たなろ過水が供給されて混合することがないので、安定した色度の脱色水を短時間で得ることができる。
【００８９】
また、オゾン脱色部８では、循環配管４１〜４７に設けられた電磁弁５２〜５４を制御することによって、循環配管４１〜４７の流路を、第１循環流路及び第２循環流路の何れかに切り換えることができる。そして、第１反応槽３１のろ過水の循環脱色と、第２反応槽３２のろ過水の循環脱色とが交互に実行されるので、ろ過水を短時間で効率的に脱色することができる。例えば、第１反応槽３１のろ過水が脱色処理中の間に、第２反応槽３２にろ過水を供給できる。さらに、第２反応槽３２のろ過水が脱色処理中の間に、第１反応槽３１にろ過水を供給できる。これにより、ろ過水を短時間で効率的に脱色することができる。また、循環配管４１〜４７のうち一部の配管を互いに共有するので、オゾン脱色部８をコンパクトに纏めることができる。また、第１循環流路と、第２循環流路とにおいて、１個の混合ポンプ１２を互いに共有しているので、オゾン脱色部８の構成をさらにコンパクトに纏めることができる。
【００９０】
さらに、オゾン発生器１３の動作時間は、第１反応槽３１及び第２反応槽３２の各脱色処理において、第１反応槽３１又は第２反応槽３２に貯留されたろ過水が目標色度にまで脱色されるのに要する時間、即ち設定時間ｔ１に設定されている。これにより、オゾン発生器１３が稼働を開始してから設定時間ｔ１が経過した時にオゾン発生器１３を停止させることで、第１反応槽３１又は第２反応槽３２内に目標色度の脱色水を得ることができる。
【００９１】
次に、第２の実施形態である循環式水洗トイレシステムについて説明する。図１１は、ＣＰＵ１０ａによる第１反応槽脱色処理の制御動作を示すフローチャート（第２の実施形態）であり、図１２は、ＣＰＵ１０ａによる第２反応槽脱色処理の制御動作を示すフローチャート（第２の実施形態）である。
【００９２】
この循環式水洗トイレシステムは、第１の実施形態である循環式水洗トイレシステム１と同じ構成を備えるが、ＣＰＵ１０ａの制御動作が異なる。つまり、各反応槽（第１反応槽３１、第２反応槽３２）に貯留されたろ過水が目標色度まで脱色される前に脱色水供給流路を開放し、脱色水供給管５０の管内でさらにオゾンと反応させることで、オゾン脱色処理にかかる時間をさらに短縮できる。よって、ここでは、第２の実施形態である循環式水洗トイレシステムの構造については説明を省略し、第１の実施形態とは異なるＣＰＵ１０ａの制御動作を中心に説明する。
【００９３】
まず、脱色水供給流路を開放するタイミングについて説明する。上記したように、脱色水供給流路の開閉は、電磁弁５４の切換えを制御することで行われる。第２の実施形態では、この電磁弁５４による脱色水供給流路を開放するタイミングが、オゾン発生器１３が運転を開始してから設定時間ｔ２後に設定される。さらに、この設定時間ｔ２は、各反応槽内のろ過水が目標色度よりも高い基準色度（以下、脱色水基準色度と呼ぶ。）まで脱色されるのに要する時間として設定される。つまり、オゾン発生器１３が運転を開始してから設定時間ｔ２経過後には、ろ過水は脱色水基準色度まで脱色される。さらに、オゾン発生器１３を運転させたままの状態で脱色水供給流路が開放されるので、混合ポンプ１２でオゾンがさらに混合され、脱色水供給管５０の管内でオゾン脱色反応が起こる。よって、脱色水供給管５０の出口通過時には、目標色度の脱色水が貯留槽９に供給される。なお、脱色水基準色度は、脱色水供給管５０の出口通過時の脱色水の色度が目標色度まで脱色されるように設定される。例えば、目標色度を３０度に設定した場合、オゾン発生器１３の能力、脱色水供給管５０の管径、長さ、混合ポンプ１２の送出能力等に基づいて、脱色水基準色度（例えば１００度）が設定される。
【００９４】
次に、第２の実施形態におけるＣＰＵ１０ａの制御動作について、図１１，図１２に示す各フローチャートを参照して説明する。なお、本説明における処理開始時には、第１反応槽３１及び第２反応槽３２にはろ過水がまだ供給されていないものとする。はじめに、循環式水洗トイレシステムの起動スイッチ（図示外）がオンされると、第１反応槽脱色処理（図１１参照）と、第２反応槽脱色処理（図１２参照）とが同時に実行される。そして、第１の実施形態と同じように、第１反応槽脱色処理を第２反応槽脱色処理よりも先に進行させる。よって、図１２に示す第２反応槽脱色処理では、まず、第１反応槽脱色処理において、第２反応槽３２の処理開始を許可するための後述する第２反応槽処理開始信号が出力されたか否かが判断される（Ｓ７１）。そして、第２反応槽処理開始信号が出力されるまでは（Ｓ７１：ＮＯ）、処理を進行せず、第２反応槽処理開始信号が出力されるまでは待機状態とされる（Ｓ７１）。
【００９５】
まず、第１反応槽脱色処理について説明する。図１１に示すように、はじめに、第１反応槽３１が上限水位未満か否かが判断される（Ｓ５１）。ここで、既に、第１反応槽３１が上限水位以上であると判断された場合は（Ｓ５１：ＮＯ）、第２反応槽３２の処理の開始を許可する第２反応槽処理開始信号が出力される（Ｓ５４）。また、第１反応槽３１のろ過水の水位が上限水位未満の場合（Ｓ５１：ＹＥＳ）、電磁弁５１におけるろ過水配管３８側の弁座が開かれ、ろ過水が第１反応槽３１内に供給される（Ｓ５２）。一方、第１反応槽３１が上限水位以上の場合（Ｓ５１：ＮＯ）は、第２反応槽３２の処理の開始を許可する第２反応槽処理開始信号が出力される（Ｓ５４）。
【００９６】
また、第１反応槽３１内にろ過水が供給されると（Ｓ５２）、次に、第１反応槽３１内のろ過水が上限水位以上か否かが判断される（Ｓ５３）。そして、第１反応槽３１内のろ過水が上限水位以上でないと判断された場合は（Ｓ５３：ＮＯ）、Ｓ５２に戻って、ろ過水が引き続き供給される。さらに、ろ過水が供給され、第１反応槽３１内のろ過水が上限水位以上と判断された場合は（Ｓ５３：ＹＥＳ）、第１反応槽３１にろ過水を供給する必要がないので、第２反応槽３２の処理の開始を許可する第２反応槽処理開始信号が出力される（Ｓ５４）。
【００９７】
次いで、第２反応槽３２が循環脱色処理中か否かが判断される（Ｓ５５）。ここで、第２反応槽３２のろ過水が循環脱色処理中である場合（Ｓ５５：ＹＥＳ）、循環配管４５，４６，４７を使用できないので、Ｓ５３に戻って待機状態とされる。また、第２反応槽３２が循環脱色処理中でない場合は（Ｓ５５：ＮＯ）、電磁弁５２，５３，５４が切り換えられ、第１循環流路が開放される（Ｓ５６）。さらに、オゾン発生器１３が運転され（Ｓ５７）、混合ポンプ１２が運転される（Ｓ５８）。そして、タイマカウンタｋがリセットされるとともにスタートされる（Ｓ５９）。すると、第１反応槽３１のろ過水が、第１循環流路を循環することでオゾンと反応して脱色が進む。
【００９８】
その後、オゾン発生器１３のタイマカウンタｋが設定時間ｔ２に到達したか否かが判断される（Ｓ６０）。ここで、タイマカウンタｋの値が設定時間ｔ２にまだ到達していない場合は（Ｓ６０：ＮＯ）、第１反応槽３１のろ過水が脱色水基準色度（例えば、１００度）にまで脱色されていないと推測できる。よって、Ｓ６０に戻り、循環脱色処理がそのまま継続される。そして、タイマカウンタｋが設定時間ｔ２に到達した場合は（Ｓ６０：ＹＥＳ）、第１反応槽３１のろ過水が脱色水基準色度にまで脱色されたと推測できるので、オゾン発生器１３を停止せないで、電磁弁５４が切り換えられ、脱色水供給流路が開放される（Ｓ６１）。
【００９９】
これにより、第１反応槽３１内の脱色水は、図６に示すように、循環配管４３、循環配管４７を通過して、混合ポンプ１２に吸引され、該混合ポンプ１２ではさらにオゾンが混合される。そして、オゾンが混合された混合水は、循環配管４５を介して脱色水供給管５０に流れ込み、脱色水供給管５０を通過する間にさらに脱色される。よって、脱色水供給管５０の出口通過時には、脱色水は目標色度（例えば、３０度）にまで脱色されるので、貯留槽９には目標色度の脱色水を供給できる。
【０１００】
次いで、第１反応槽３１の脱色水の水面が下限水位未満か否かが判断される（Ｓ６２）。ここで、水位が下限水位以上の場合（Ｓ６２：ＮＯ）、Ｓ６２に戻り、脱色水が貯留槽９に引き続き供給され、水位の監視が行われる。そして、水位が下限水位未満まで低下した場合は（Ｓ６２：ＹＥＳ）、オゾン発生器１３が停止され（Ｓ６３）、混合ポンプ１２が停止される（Ｓ６４）。続いて、電磁弁５４が切り換えられ、脱色水供給流路が閉塞される（Ｓ６５）。さらに、後述する第２反応槽開始処理において、第１反応槽処理開始信号が出力されたか否かが判断される（Ｓ６６）。この第１反応槽処理開始信号が出力されていない間は（Ｓ６６：ＮＯ）、第２反応槽３２にろ過水が供給されているので、Ｓ６６に戻って待機状態とされる。そして、第２反応槽３２へのろ過水の供給が終了され、第１反応槽処理開始信号が出力された場合（Ｓ６６：ＹＥＳ）、Ｓ５１に戻って処理が繰り返される。
【０１０１】
次に、第２反応槽脱色処理について説明する。まず、第２反応槽処理開始信号があったか否かが判断される（Ｓ７１）。まだ、第２反応槽処理開始信号がない場合（Ｓ７１：ＮＯ）、Ｓ７１に戻って待機状態とされる。そして、第２反応槽処理開始信号があった場合（Ｓ７１：ＹＥＳ）、続いて、第２反応槽３２のろ過水の水位が上限水位未満か否かが判断される（Ｓ７２）。ここで、第２反応槽３２が上限水位以上の場合は（Ｓ７２：ＮＯ）、第２反応槽３２にろ過水を供給する必要がないので、第２反応槽３２の処理の開始を許可する第１反応槽処理開始信号が出力される（Ｓ７５）。また、上限水位未満の場合（Ｓ７２：ＹＥＳ）、電磁弁５１のろ過水配管３９側の弁座が開かれ、ろ過水が第２反応槽３２内に供給される（Ｓ７３）。次いで、第２反応槽３２内の水位が上限水位以上であるか否かが判断される（Ｓ７４）。そして、水位が上限水位以上であると判断されない場合は（Ｓ７４：ＮＯ）、Ｓ７３に戻り、引き続き水位の監視が行われる。また、水位が上限水位以上と判断された場合は（Ｓ７４：ＹＥＳ）、第２反応槽３２の処理の開始を許可する第１反応槽処理開始信号が出力される（Ｓ７５）。これにより、第１反応槽脱色処理において、第２反応槽脱色処理で出力された第１反応槽処理開始信号が認識されることで（図１１に示すＳ６６：ＹＥＳ）、第１反応槽脱色処理のＳ５１からの処理が再び実行される。
【０１０２】
次いで、第１反応槽３１が循環脱色処理中か否かが判断される（Ｓ７６）。そして、第１反応槽３１が循環脱色処理中の場合は（Ｓ７６：ＹＥＳ）、第２反応槽３２を循環脱色できないので、Ｓ７４に戻って待機状態とされる。また、第１反応槽３１が循環脱色処理中でない場合は（Ｓ７６：ＮＯ）、電磁弁５２，５３，５４が切り換えられることで、第２循環流路が開放される（Ｓ７７）。さらに、オゾン発生器１３が運転され（Ｓ７８）、混合ポンプ１２が運転される（Ｓ７９）。そして、タイマカウンタｋがリセットされるとともにスタートされる（Ｓ８０）。すると、第２反応槽３２のろ過水が第２循環流路を循環することでオゾンと反応して脱色が進む。
【０１０３】
その後、オゾン発生器１３の運転時間、即ち、タイマカウンタｋが設定時間ｔ２に到達したか否かが判断される（Ｓ８１）。ここで、タイマカウンタｋの値が設定時間ｔ２にまだ到達していない場合は（Ｓ８１：ＮＯ）、第１反応槽脱色処理と同様に、Ｓ８１に戻り、循環脱色処理が継続されるとともに、タイマカウンタｋの値が監視される。そして、タイマカウンタｋの値が設定時間ｔ２に到達した場合は（Ｓ８１：ＹＥＳ）、オゾン発生器１３を停止させないで、電磁弁５４が切り換えられる（Ｓ８２）。すると、循環配管４５及び脱色水供給管５０で構成される脱色水供給流路が開放される。
【０１０４】
これにより、図８に示すように、第２反応槽３２内の脱色水が、循環配管４４、循環配管４７を通過して、混合ポンプ１２に吸引され、該混合ポンプ１２ではさらにオゾンが混合される。そして、オゾンが混合された混合水は、循環配管４５を介して脱色水供給管５０に流れ込み、脱色水供給管５０を通過する間にさらに脱色される。よって、脱色水供給管５０の出口通過時には、脱色水は目標色度（例えば、３０度）にまで脱色されるので、貯留槽９には目標色度の脱色水を供給することができる
【０１０５】
次に、第２反応槽３２の水位が下限水位未満か否かが判断される（Ｓ８３）。ここで、水位がまだ下限水位以上の場合は（Ｓ８３：ＮＯ）、Ｓ８３に戻り、脱色水が貯留槽９に引き続き供給され、水位の監視が行われる。そして、水位が下限水位未満まで低下した場合（Ｓ８３：ＹＥＳ）は、オゾン発生器１３が停止され（Ｓ８４）、混合ポンプ１２が停止される（Ｓ８５）。続いて、電磁弁５４が切り換えられ、脱色水供給流路が閉塞される（Ｓ８６）。その後、Ｓ７１に戻って処理が繰り返される。
【０１０６】
以上説明したように、第２の実施形態の循環式水洗トイレシステムでは、第１の実施形態の循環式水洗トイレシステム１と同じ構成を備えるが、ＣＰＵ１０ａの制御動作が異なるものである。つまり、各反応槽に貯留されたろ過水が目標色度まで脱色される前に脱色水供給流路を開放し、脱色水供給管５０の管内でもオゾンと反応させることができる。これにより、第１の実施形態では、各反応槽内の脱色水を貯留槽９に供給するためだけに使用していた時間を、第２の実施形態では省略できるので、オゾン脱色部８のろ過水のオゾン循環脱色にかかる処理時間を短縮することができる。
【０１０７】
次に、第３の実施形態である循環式水洗トイレシステムについて説明する。図１３は、オゾン脱色部８０及びコントローラ１１０の構成を示す構成図であり、図１４は、ＣＰＵ１１０ａによる第１反応槽脱色処理の制御動作を示すフローチャートであり、図１５は、ＣＰＵ１１０ａによる第２反応槽脱色処理の制御動作を示すフローチャートである。
【０１０８】
この循環式水洗トイレシステムは、第２の実施形態の変形例であり、第１反応槽３１及び第２反応槽３２に、各槽内の脱色水の色度を直接検知できる色度センサ８５，８６をそれぞれ備えている。そして、それら色度センサ８５，８６の各検出値に基づいて、脱色水供給流路を開放するタイミングを制御することで、貯留槽９に供給される脱色水の色度をより正確かつ安定して保持できる点に特徴を備えている。
【０１０９】
なお、第３の実施形態の循環式水洗トイレシステムは、第１の実施形態である循環式水洗トイレシステム１の構造を基本的に備えているので、同じ構造部分に関しては同符号を付して説明を省略するとともに、異なる構造部分についてのみ説明する。
【０１１０】
図１３に示すように、この循環式水洗トイレシステムは、オゾン脱色部８０と、コントローラ１１０とを備えている。このオゾン脱色部８０は、第１の実施形態のオゾン脱色部８と同じ構造を備えている。そして、第１反応槽３１において、フロート取付板３５の略中段には、貯水の色度を検知する色度センサ８５が取り付けられている。一方、第２反応槽３２において、フロート取付板３６の略中段には、色度センサ８６が取り付けられている。これら色度センサ８５，８６は周知の色度センサである。これら色度センサ８５，８６は、後述するコントローラ１１０のＩ／Ｏインタフェイス１１０ｄに電気的に接続されている。よって、色度センサ８５，８６によって検知された色度値は検知信号に変換され、コントローラ１１０のＣＰＵ１１０ａに入力される。
【０１１１】
コントローラ１１０は、中央演算処理装置としてのＣＰＵ１１０ａと、該ＣＰＵ１１０ａを中心に相互に接続されたＲＯＭ１１０ｂと、ＲＡＭ１１０ｃとを備えている。さらに、ＣＰＵ１１０ａにはＩ／Ｏインタフェイス１１０ｄが設けられている。そして、このＩ／Ｏインタフェイス１１０ｄには、図示外の配線を介して、電磁弁５１，５２，５３，５４と、ブロワー１８と、混合ポンプ１２と、オゾン発生器１３と、第１上限フロート７０、第１下限フロート７１、第２上限フロート７３、第２下限フロート７４と、色度センサ８５，８６が各々接続されている。なお、本実施形態では、オゾン発生器１３の運転／停止のタイミングは、色度センサ８５，８６の検知色度に基づいて行われる。よって、コントローラ１１０には、第１の実施形態のコントローラ１０のようなタイマを設けてはいない。
【０１１２】
そして、ＣＰＵ１１０ａは、第２の実施形態と同様の制御を行う。つまり、各反応槽のろ過水が脱色水基準色度まで脱色されたら脱色水供給流路を開放する。これにより、脱色水供給管５０の管内でさらにオゾン脱色が行われるので、目標色度の脱色水を貯留槽９に供給することができる。なお、目標色度及び脱色水基準色度は、第２の実施形態と同様に設定される。
【０１１３】
次に、ＣＰＵ１１０ａによるオゾン脱色部８０の制御動作について、図１４，図１５に示す各フローチャートを参照して説明する。なお、本説明における処理開始時には、第１反応槽３１及び第２反応槽３２にはろ過水がまだ供給されていないものとする。はじめに、循環式水洗トイレシステムの起動スイッチ（図示外）がオンされると、第１反応槽脱色処理（図１４参照）と、第２反応槽脱色処理（図１５参照）とが同時に実行される。そして、第２の実施形態と同じように、第１反応槽脱色処理を第２反応槽脱色処理よりも先に進行させる。よって、図１５に示す第２反応槽脱色処理では、まず、第１反応槽脱色処理において、第２反応槽３２の処理開始を許可するための後述する第２反応槽処理開始信号が出力されたか否かが判断される（Ｓ１１１）。そして、第２反応槽処理開始信号が出力されるまでは（Ｓ１１１：ＮＯ）、Ｓ１１１に戻って、第２反応槽処理開始信号が出力されるまでは待機状態とされる。
【０１１４】
まず、第１反応槽脱色処理について説明する。図１４に示すように、はじめに、第１反応槽３１が上限水位未満か否かが判断される（Ｓ９１）。ここで、既に、第１反応槽３１が上限水位以上であると判断された場合は（Ｓ９１：ＮＯ）、第２反応槽３２の処理の開始を許可する第２反応槽処理開始信号が出力される（Ｓ９４）。また、第１反応槽３１のろ過水の水位が上限水位未満の場合（Ｓ９１：ＹＥＳ）、電磁弁５１におけるろ過水配管３８側の弁座が開かれ、ろ過水が第１反応槽３１内に供給される（Ｓ９２）。
【０１１５】
また、第１反応槽３１内にろ過水が供給されると（Ｓ９２）、次に、第１反応槽３１内のろ過水が上限水位以上か否かが判断される（Ｓ９３）。そして、第１反応槽３１内のろ過水が上限水位以上でないと判断された場合は（Ｓ９３：ＮＯ）、Ｓ９２に戻って、ろ過水が引き続き供給される。さらに、ろ過水が供給され、第１反応槽３１内のろ過水が上限水位以上と判断された場合は（Ｓ９３：ＹＥＳ）、第１反応槽３１にろ過水を供給する必要がないので、第２反応槽３２の処理の開始を許可する第２反応槽処理開始信号が出力される（Ｓ９４）。
【０１１６】
次いで、第２反応槽３２が循環脱色処理中か否かが判断される（Ｓ９５）。ここで、第２反応槽３２のろ過水が循環脱色処理中である場合（Ｓ９５：ＹＥＳ）、循環配管４５，４６，４７を使用することができないので、Ｓ９３に戻って待機状態とされる。また、第２反応槽３２が循環脱色処理中でない場合は（Ｓ９５：ＮＯ）、電磁弁５２，５３，５４が切り換えられることで、第１循環流路が開放される（Ｓ９６）。さらに、オゾン発生器１３が運転され（Ｓ９７）、混合ポンプ１２が運転される（Ｓ９８）。すると、第１反応槽３１のろ過水が第１循環流路を循環するので、オゾンと反応して脱色が進む。
【０１１７】
その後、第１循環流路を循環するろ過水の色度が検出される（Ｓ９９）。具体的には、第１反応槽３１内の色度センサ８５が、第１反応槽３１内のろ過水（脱色水）の色度を検出し、ＣＰＵ１１０ａにその検知信号が入力される。そして、その色度値が脱色水基準色度以下（例えば、１００度以下）まで低下したか否かが判断される（Ｓ１００）。ここで、まだ脱色水基準色度以下まで低下していない場合（Ｓ１００：ＮＯ）、循環脱色処理がそのまま継続されるとともに、引き続き色度が監視される（Ｓ９９，Ｓ１００）。そして、ろ過水の色度が脱色水基準色度以下まで低下した場合（Ｓ１００：ＹＥＳ）、オゾン発生器１３を停止せないで、電磁弁５４が切り換えられ、循環配管４５及び脱色水供給管５０で構成される脱色水供給流路が開放される（Ｓ１０１）。
【０１１８】
これにより、第１反応槽３１内の脱色水は、循環配管４３、循環配管４７を通過して、混合ポンプ１２に吸引され、該混合ポンプ１２ではさらにオゾンが混合される。そして、オゾンが混合された混合水は、脱色水供給管５０を通過する間にさらに脱色され、脱色水供給管５０の出口通過時には目標色度（例えば、３０度）にまで脱色される。よって、貯留槽９に目標色度の脱色水を供給できる。
【０１１９】
さらに、第１反応槽３１の脱色水の水位が下限水位未満か否かが判断される（Ｓ１０２）。ここで、水位が下限水位以上の場合は（Ｓ１０２：ＮＯ）、Ｓ１０２に戻り、脱色水が貯留槽９に引き続き供給され、水位の監視が行われる。そして、水位が下限水位未満まで低下した場合（Ｓ１０２：ＹＥＳ）は、オゾン発生器１３が停止され（Ｓ１０３）、混合ポンプ１２が停止される（Ｓ１０４）。続いて、電磁弁５４が切り換えられ、脱色水供給流路が閉塞される（Ｓ１０５）。続いて、後述する第２反応槽開始処理において、第１反応槽処理開始信号が出力されたか否かが判断される（Ｓ１０６）。この第１反応槽処理開始信号が出力されていない間は（Ｓ１０６：ＮＯ）、第２反応槽３２にろ過水が供給されているので、Ｓ１０６に戻って待機状態とされる。そして、第２反応槽３２へのろ過水の供給が終了し、第１反応槽処理開始信号が出力された場合（Ｓ１０６：ＹＥＳ）、Ｓ９１に戻って処理が繰り返される。
【０１２０】
次に、第２反応槽脱色処理について説明する。図１５に示すように、まず、第２反応槽処理開始信号があったか否かが判断される（Ｓ１１１）。まだ、第２反応槽処理開始信号がない場合（Ｓ１１１：ＮＯ）、Ｓ１１１に戻って待機状態とされる。そして、第２反応槽処理開始信号があった場合（Ｓ１１１：ＹＥＳ）、続いて、第２反応槽３２のろ過水の水位が上限水位未満か否かが判断される（Ｓ１１２）。ここで、第２反応槽３２が上限水位以上の場合（Ｓ１１２：ＮＯ）は、第２反応槽３２にろ過水を供給する必要がないので、第２反応槽３２の処理の開始を許可する第１反応槽処理開始信号が出力される（Ｓ１１５）。また、上限水位未満の場合（Ｓ１１２：ＹＥＳ）、電磁弁５１のろ過水配管３９側の弁座が開かれ、ろ過水が第２反応槽３２内に供給される（Ｓ１１３）。次いで、第２反応槽３２内の水位が上限水位以上であるか否かが判断される（Ｓ１１４）。水位が上限水位以上と判断されない場合は（Ｓ１１４：ＮＯ）、Ｓ１１３に戻り、引き続き水位の監視が行われる。そして、水位が上限水位以上と判断された場合は（Ｓ１１４：ＹＥＳ）、第２反応槽３２の処理の開始を許可する第１反応槽処理開始信号が出力される（Ｓ１１５）。これにより、第１反応槽脱色処理において、第２反応槽脱色処理で出力された第１反応槽処理開始信号が認識されることで（図１４に示すＳ１０６：ＹＥＳ）、第１反応槽脱色処理のＳ９１からの処理が実行される。
【０１２１】
次いで、第１反応槽３１が循環脱色処理中か否かが判断される（Ｓ１１６）。そして、第１反応槽３１が循環脱色処理中の場合は（Ｓ１１６：ＹＥＳ）、Ｓ１１４に戻って処理が繰り返される。また、第１反応槽３１が循環脱色処理中でない場合は（Ｓ１１６：ＮＯ）、電磁弁５２，５３，５４が切り換えられることで、第２循環流路が開放される（Ｓ１１７）。さらに、オゾン発生器１３が運転され（Ｓ１１８）、混合ポンプ１２が運転される（Ｓ１１９）。すると、第２反応槽３２のろ過水が第２循環流路を循環するので、オゾンと反応して脱色が進む。
【０１２２】
その後、第２循環流路を循環する脱色水の色度が検出される（Ｓ１２０）。具体的には、第２反応槽３２内の色度センサ８６によって、第２反応槽３２内の脱色水の色度が検出され、ＣＰＵ１１０ａにその検知信号が入力される。そして、その色度値が脱色水基準色度以下（例えば、１００度以下）まで低下したか否かが判断される（Ｓ１２１）。ここで、脱色水がまだ脱色水基準色度以下まで低下していない場合（Ｓ１２１：ＮＯ）、循環脱色処理がそのまま継続されるとともに、引き続き色度が監視される（Ｓ１２０）。そして、脱色水基準色度以下まで低下した場合（Ｓ１２１：ＹＥＳ）、オゾン発生器１３が停止されないで、電磁弁５４が切り換えられ、循環配管４５及び脱色水供給管５０で構成される脱色水供給流路が開放される（Ｓ１２２）。
【０１２３】
これにより、第２反応槽３２内の脱色水は、循環配管４４、循環配管４７を通過して、混合ポンプ１２に吸引され、該混合ポンプ１２ではさらにオゾンが混合される。そして、オゾンが混合された混合水は、脱色水供給管５０を通過する間にさらに脱色され、脱色水供給管５０の出口通過時には目標色度（例えば、３０度）にまで脱色される。よって、貯留槽９に目標色度の脱色水を供給できる。
【０１２４】
さらに、第２反応槽３２の脱色水の水位が下限水位未満か否かが判断される（Ｓ１２３）。ここで、水位が下限水位以上の場合は（Ｓ１２３：ＮＯ）、Ｓ１２３に戻り、脱色水が貯留槽９に引き続き供給され、水位の監視が行われる。そして、水位が下限水位未満まで低下した場合（Ｓ１２３：ＹＥＳ）は、オゾン発生器１３が停止される（Ｓ１２４）。さらに、混合ポンプ１２が停止される（Ｓ１２５）。続いて、電磁弁５４が切り換えられて脱色水供給流路が閉塞される（Ｓ１２６）。その後、Ｓ１１１に戻って処理が繰り返される。
【０１２５】
以上説明したように、第３の実施形態の循環式水洗トイレシステムでは、第１反応槽３１及び第２反応槽３２に色度センサ８５，８６をそれぞれ備えている。そして、ＣＰＵ１１０ａが、色度センサ８５，８６の各検出値に基づいて、脱色水供給流路を開放するタイミングを制御することで、貯留槽９に供給される脱色水の色度をより正確かつ安定して保持できる点に特徴を備えている。つまり、各反応槽の脱色水の色度を色度センサ８５，８６で直接検出できるので、第２の実施形態のようにオゾン発生器１３の運転時間に基づいて制御する場合に比べて、より安定した目標色度の脱色水を貯留槽９に貯留することができる。
【０１２６】
なお、第３の実施形態では、第２の実施形態と同様に、各反応槽のろ過水が脱色水基準色度まで脱色されたら、脱色水供給流路を開放し、脱色水供給管５０の管内でもオゾン脱色を行うようにしたが、例えば、第１の実施形態の循環式水洗トイレシステム１のように、各反応槽内のろ過水を目標色度にまで完全に脱色してから、オゾン発生器１３を停止させ、脱色水供給管５０を介して貯留槽９に供給するようにしてもよい。
【０１２７】
次に、第４の実施形態の循環式水洗トイレシステム１００について説明する。図１６は、循環式水洗トイレシステム１００の構成図であり、図１７は、オゾン脱色部８０及びコントローラ１２０の構成を示す構成図であり、図１８は、ＣＰＵ１２０ａによる第１反応槽脱色処理の制御動作を示すフローチャートであり、図１９は、ＣＰＵ１２０ａによる第１反応槽脱色処理の制御動作を示すフローチャートである。
【０１２８】
この循環式水洗トイレシステム１００は、貯留槽９０に貯留された脱色水をオーバーフローさせて、生物処理槽６に供給する仕組みを備えるものである。そして、水洗便器５の使用頻度に応じて、休日夜間における脱色水のオーバーフロー水量を制御することができる。これにより、オゾン脱色部８０に供給されるろ過水の色度を希釈して一定レベルに維持することができるので、オゾン脱色部８０にかかる負荷を軽減できる。そして、第４の実施形態では、ろ過水の色度に基づいてオーバーフロー水量を制御する点に特徴を備えている。
【０１２９】
なお、循環式水洗トイレシステム１００は、図１６，図１７に示すように、第１の実施形態である循環式水洗トイレシステム１（図１参照）の構造を基本的に備えるとともに、オゾン脱色部８０と、上記各実施形態とは異なる制御動作を行うコントローラ１２０とを備えている。そこで、構造が同じ部分については同符号を付して説明を省略し、構造の異なる部分を中心に説明する。また、以下説明において、貯留槽９０の「オーバーフロー水」とは、貯留槽９０が満水の時に、オゾン脱色部８０の脱色水供給管５０から脱色水が供給されることによって溢れ出た脱色水をいう。
【０１３０】
図１６に示すように、循環式水洗トイレシステム１００は、水洗便器５と、生物処理槽６と、ろ過槽７と、オゾン脱色部８０と、貯留槽９０とを主体に構成されている。そして、貯留槽９０と水洗便器５との間には洗浄水供給管１５が設けられ、該洗浄水供給管１５にはポンプ１６が設けられている。さらに、循環式水洗トイレシステム１００は、上記各処理槽における処理動作を制御するコントローラ１２０（図１８）を備えている。なお、オゾン脱色部８０は、第３の実施形態と同じ構造のものである。
【０１３１】
貯留槽９０は、ろ過槽７に隣接して設けられている。さらに貯留槽９０の内側には、貯留槽９０の上部から中段まで延設されたフロート取付板３７が配設されている。このフロート取付板３７の上部には、貯留槽９０に貯留された脱色水が満水になったか否かを検知する満水フロート７５が固定されている。さらに、その貯留槽９０と生物処理槽６との間には、貯留槽９０のオーバーフロー水を生物処理槽６に供給するオーバーフロー水配管９９が配設されている。また、ろ過装置１７には、該ろ過装置１７のろ過水を生物処理槽６にオーバーフローさせるろ過水オーバーフロー配管７７が配設されている。
【０１３２】
コントローラ１２０は、中央演算処理装置としてのＣＰＵ１２０ａと、該ＣＰＵ１２０ａを中心に相互に接続されたＲＯＭ１２０ｂと、ＲＡＭ１２０ｃとを備えている。さらに、ＣＰＵ１２０ａにはＩ／Ｏインタフェイス１２０ｄが設けられている。そして、このＩ／Ｏインタフェイス１２０ｄには、図示外の配線を介して、電磁弁５１，５２，５３，５４と、ブロワー１８と、混合ポンプ１２と、オゾン発生器１３と、第１上限フロート７０、第１下限フロート７１、第２上限フロート７３、第２下限フロート７４と、色度センサ８５，８６と、満水フロート７５とが各々接続されている。
【０１３３】
次に、循環式水洗トイレシステム１００のオーバーフロー水の流れについて説明する。休日夜間は、昼間に比べて水洗便器５の使用頻度が低い。この場合、生物処理槽６に汚水が流入しないので、この状態を放置すると、ろ過槽７への生物処理水の供給が止まるので、ろ過装置１７周囲の生物処理水の流れが止まる。これにより、ろ過装置１７のろ過膜が目詰まりを起こす恐れがある。そこで、休日夜間の場合、貯留槽９０内の脱色水が減らずに満水となるので、オゾン脱色部８０から脱色水を貯留槽９０に供給することで、脱色水を槽外にオーバーフローさせる。このオーバーフロー水を、オーバーフロー水配管９９を介して生物処理槽６に供給する。また、生物処理槽６にオーバーフロー水が供給されると、生物処理水が希釈されるので、水洗便器５の使用頻度によってろ過水の色度が高くなるのを防止できる。さらに、本実施形態では、オゾン脱色部８０に供給されるろ過水の色度に応じて、このオーバーフロー水量を制御することで、オゾン脱色部８０におけるオゾン脱色処理を効率的かつ安定して行うことができる。
【０１３４】
また、貯留槽９から脱色水をオーバーフローさせた直後は貯留槽９０は満水ではなくなるので、生物処理槽６にオーバーフロー水を供給できない。この場合、ろ過装置１７からろ過水をオーバーフローさせることで、ろ過水オーバーフロー配管７７を介して生物処理槽６に供給されるようになっている。これにより、ろ過槽７には生物処理水が供給され、ろ過装置１７周囲の生物処理水の流れが維持されるので、ろ過膜の目詰まりを防止できる。
【０１３５】
次に、水洗便器５の使用頻度とろ過水の色度との関係について説明する。例えば、水洗便器５の使用頻度が高い場合、生物処理槽６に流入する汚水量は多くなる。この場合、生物処理槽６では、汚水中の有機物を処理しきれないため、生物処理水には微生物分解できなかった有機物が残留して蓄積される。つまり、その残留する有機物が色度成分となるので、生物処理水をろ過して得られるろ過水の色度は高くなる傾向になる。これとは逆に、水洗便器５の使用頻度が低い場合、生物処理槽６に流入する汚水量は少なくなる。この場合、生物処理槽６では、汚水中の有機物を処理できるため、生物処理水には有機物が残留しない。よって、生物処理水をろ過して得られるろ過水の色度は低くなる傾向になる。つまり、第１反応槽３１に供給されるろ過水の色度を検知することで、水洗便器５の使用頻度を推測できる。そして、本実施形態のＣＰＵ１２０ａは、オゾン脱色部８０に供給されたろ過水の色度に基づいて、オーバーフロー水量を制御することで、ろ過水の色度を一定レベルに安定して保つことができる。
【０１３６】
次に、ろ過水基準色度と脱色水基準色度とについて説明する。ろ過水の色度は、図１７に示す第１反応槽３１の色度センサ８５によって検知される。そして、ろ過水基準色度は、貯留槽９０の脱色水をオーバーフローさせるか否かの基準となる色度値として設定される。よって、ろ過水基準色度は、オゾン脱色部８０の規模や処理能力に応じて設定される。一方、脱色水基準色度は、第３の実施形態と同様に、目標色度（例えば、３０度）の脱色水を脱色水供給管５０の出口で得るために、脱色水供給流路を開放する際の色度（例えば、１００度）として設定すればよい。
【０１３７】
次に、ＣＰＵ１２０ａによるオゾン脱色部８０の制御動作について、図１８，図１９に示す各フローチャートを参照して説明する。はじめに、循環式水洗トイレシステム１００の起動スイッチ（図示外）がオンされると、第１反応槽脱色処理（図１８参照）と、第２反応槽脱色処理（図１９参照）とが同時に実行される。そして、第１乃至第３の実施形態と同じように、第１反応槽脱色処理を第２反応槽脱色処理よりも先に進行させる。よって、図１９に示す第２反応槽脱色処理では、まず、第１反応槽脱色処理において、第２反応槽３２の処理開始を許可するための後述する第２反応槽処理開始信号が出力されたか否かが判断される（Ｓ１５１）。そして、第２反応槽処理開始信号が出力されるまでは（Ｓ１５１：ＮＯ）、処理を進行せず、第２反応槽処理開始信号が出力されるまでは待機状態とされる（Ｓ１５１）。
【０１３８】
まず、第１反応槽脱色処理について説明する。図１８に示すように、はじめに、第１反応槽３１が上限水位未満か否かが判断される（Ｓ１３１）。ここで、既に、第１反応槽３１が上限水位以上であると判断された場合は（Ｓ１３１：ＮＯ）、第２反応槽３２の処理の開始を許可する第２反応槽処理開始信号が出力される（Ｓ１３４）。また、第１反応槽３１のろ過水の水位が上限水位未満の場合（Ｓ１３１：ＹＥＳ）、電磁弁５１におけるろ過水配管３８側の弁座が開かれ、ろ過水が第１反応槽３１内に供給される（Ｓ１３２）。
【０１３９】
次に、第１反応槽３１内のろ過水が上限水位以上か否かが判断される（Ｓ１３３）。そして、第１反応槽３１内のろ過水が上限水位以上でないと判断された場合は（Ｓ１３３：ＮＯ）、Ｓ１３２に戻って、ろ過水が引き続き供給される。さらに、ろ過水が供給され、第１反応槽３１内のろ過水が上限水位以上と判断された場合は（Ｓ１３３：ＹＥＳ）、第１反応槽３１にろ過水を供給する必要がないので、第２反応槽３２の処理の開始を許可する第２反応槽処理開始信号が出力される（Ｓ１３４）。
【０１４０】
次いで、第２反応槽３２が循環脱色処理中か否かが判断される（Ｓ１３５）。ここで、第２反応槽３２のろ過水が循環脱色処理中である場合、循環配管４５，４７を使用できない。よって、第２反応槽３２が循環脱色処理中の場合は（Ｓ１３５：ＹＥＳ）、Ｓ１３３に戻って処理が繰り返される。また、第２反応槽３２が循環脱色処理中でない場合は（Ｓ１３５：ＮＯ）、第１反応槽３１に貯留されたろ過水の色度が検出される（Ｓ１３６）。なお、第１反応槽３１のろ過水の色度は、色度センサ８５によって検知される。さらに、貯留槽９０が満水であって、かつろ過水の色度がろ過水基準色度以下か否かが判断される（Ｓ１３７）。ここで、貯留槽９０が満水でない場合は（Ｓ１３７：ＮＯ）、水洗便器５の使用頻度が高く、貯留槽９０の脱色水が使用されているので、貯留槽９０に脱色水を溜めるために通常の循環脱色が行われる。よって、電磁弁５２，５３，５４が切り換えられ、第１循環流路が開放され（Ｓ１３８）、オゾン発生器１３が運転され（Ｓ１３９）、混合ポンプ１２が運転される（Ｓ１４０）。なお、貯留槽９０が満水でないということは、水洗便器５の使用頻度の高い昼間であると推測される。
【０１４１】
一方、休日夜間のように水洗便器５が使用されない場合は、貯留槽９０は満水になる。そして、貯留槽９０が満水であって、ろ過水の色度がろ過水基準色度を超えている場合は（Ｓ１３７：ＮＯ）、昼間の水洗便器５の使用頻度が高かったと推測される。この場合、貯留槽９０の脱色水をオーバーフローさせ、生物処理槽６の生物処理水を希釈して、ろ過水色度を下げるのが望ましい。そこで、貯留槽９０からオーバーフローさせるために、
通常の循環脱色を行う。つまり、電磁弁５２，５３，５４が切り換えられ、第１循環流路が開放され（Ｓ１３８）、オゾン発生器１３が運転され（Ｓ１３９）、混合ポンプ１２が運転される（Ｓ１４０）。
【０１４２】
そして、第１循環流路を循環する脱色水の色度が検出される（Ｓ１４１）。そして、その色度値が脱色水基準色度以下（例えば、１００度以下）まで低下したか否かが判断される（Ｓ１４２）。ここで、第１循環流路を循環する脱色水の色度がまだ脱色水基準色度以下まで低下していない場合（Ｓ１４２：ＮＯ）、Ｓ１４１に戻って、循環脱色処理がそのまま継続されるとともに、引き続き色度が監視される（Ｓ１４２）。そして、脱色水の色度が脱色水基準色度以下まで低下した場合（Ｓ１４２：ＹＥＳ）、オゾン発生器１３を停止せないで、電磁弁５４が切り換えられる（Ｓ１４３）。すると、循環配管４５及び脱色水供給管５０で構成される脱色水供給流路が開放される。
【０１４３】
これにより、第１反応槽３１内の脱色水は、循環配管４３、循環配管４７を通過して、混合ポンプ１２ではさらにオゾンが混合され、脱色水供給管５０を通過する間にさらに脱色される。よって、脱色水供給管５０の出口通過時には、脱色水は目標色度（例えば、３０度）にまで脱色されるので、貯留槽９０に目標色度の脱色水を供給することができる。
【０１４４】
そして、貯留槽９０が満水の時に脱色水が供給されると、脱色水がオーバーフローするので、そのオーバーフロー水は、オーバーフロー水配管９９を介して、生物処理槽６に供給される。これにより、生物処理槽６内の生物処理水が希釈されるので、ろ過槽７のろ過装置１７から供給されるろ過水の色度を低下させることができる。
【０１４５】
次いで、第１反応槽３１の脱色水の水位が下限水位未満か否かが判断される（Ｓ１４４）。ここで、水位が下限水位以上の場合は（Ｓ１４４：ＮＯ）、Ｓ１４４に戻り、脱色水が貯留槽９０に引き続き供給され、水位の監視が行われる。そして、水位が下限水位未満まで低下した場合は（Ｓ１４４：ＹＥＳ）、オゾン発生器１３が停止され（Ｓ１４５）、混合ポンプ１２が停止される（Ｓ１４６）。続いて、電磁弁５４が切り換えられて脱色水供給流路が閉塞される（Ｓ１４７）。さらに、後述する第２反応槽開始処理において、第１反応槽処理開始信号が出力されたか否かが判断される（Ｓ１４８）。この第１反応槽処理開始信号が出力されていない間は（Ｓ１４８：ＮＯ）、第２反応槽３２にろ過水が供給されているので、Ｓ１４８に戻って待機状態とされる。そして、第２反応槽３２へのろ過水の供給が終了し、第１反応槽処理開始信号が出力された場合（Ｓ１４８：ＹＥＳ）、Ｓ１３１に戻って処理が繰り返される。
【０１４６】
また、休日夜間に貯留槽９０が満水になった時に、ろ過水の色度がろ過水基準色度以下の場合（Ｓ１３７：ＹＥＳ）、昼間の水洗便器５の使用頻度が低かったと推測される。この場合、ろ過水の色度は十分低いので、貯留槽９０の脱色水をオーバーフローさせて生物処理槽６内の生物処理水を希釈する必要がない。この場合、オゾン循環脱色を行わずに、Ｓ１３３に戻って、ろ過水の色度と、貯留槽９０の水位とが監視される。このように、貯留槽９０には脱色水が十分にあって、ろ過水の色度が十分低い場合は、各反応槽の循環脱色処理を行わず、オーバーフローさせないので、オゾン発生器１３及び混合ポンプ１２等を無駄に運転させることがない。よって、オゾン脱色部８０の動作にかかるオゾン発生器１３及び混合ポンプ１２の電力コストを節約できる。
【０１４７】
次に、第２反応槽脱色処理について説明する。図１９に示すように、まず、第２反応槽処理開始信号があったか否かが判断される（Ｓ１５１）。まだ、第２反応槽処理開始信号がない場合（Ｓ１５１：ＮＯ）、第１反応槽３１にろ過水が供給されていると推測できるので、Ｓ１５１に戻って待機状態とされる。そして、第２反応槽処理開始信号があった場合（Ｓ１５１：ＹＥＳ）、第１反応槽３１へのろ過水供給が終了しているので、続いて、第２反応槽３２のろ過水の水位が上限水位未満か否かが判断される（Ｓ１５２）。ここで、既に、第２反応槽３２が上限水位以上であると判断された場合は（Ｓ１５２：ＮＯ）、第１反応槽３１の処理の開始を許可する第１反応槽処理開始信号が出力される（Ｓ１５５）。また、上限水位未満の場合（Ｓ１５２：ＹＥＳ）、電磁弁５１のろ過水配管３９側の弁座を開くことで、ろ過水が第２反応槽３２内に供給される（Ｓ１５３）。次いで、第２反応槽３２のろ過水の水位が上限水位以上か否かが判断される（Ｓ１５４）。
【０１４８】
ここで、水位が上限水位以上でない場合は（Ｓ１５４：ＮＯ）、Ｓ１５３に戻り、第２反応槽３２に引き続きろ過水が供給される。そして、第２反応槽３２が上限水位以上の場合（Ｓ１５４：ＹＥＳ）は、第２反応槽３２にろ過水を供給する必要がないので、第２反応槽３２の処理の開始を許可する第１反応槽処理開始信号が出力される（Ｓ１５５）。これにより、第１反応槽脱色処理において、第２反応槽脱色処理で出力された第１反応槽処理開始信号を認識することによって（図１８のＳ１４８：ＹＥＳ）、第１反応槽脱色処理のＳ１３１からの処理が実行される。
【０１４９】
次いで、第１反応槽３１が循環脱色処理中か否かが判断される（Ｓ１５６）。そして、第１反応槽３１が循環脱色処理中の場合は（Ｓ１５６：ＹＥＳ）、Ｓ１５４に戻って処理が繰り返される。また、第１反応槽３１が循環脱色処理中でない場合は（Ｓ１５６：ＮＯ）、第２反応槽３２に貯留されたろ過水の色度が検出される（Ｓ１５７）。そして、貯留槽９０が満水であって、かつろ過水の色度がろ過水基準色度以下か否かが判断される（Ｓ１５８）。ここで、貯留槽９０がまだ満水でない場合（Ｓ１５８：ＮＯ）、貯留槽９０に脱色水を溜めるために通常の循環脱色が行われる。つまり、電磁弁５２，５３，５４が切り換えられて、第２循環流路が開放され（Ｓ１５９）、オゾン発生器１３が運転され（Ｓ１６０）、混合ポンプ１２が運転される（Ｓ１６１）。
【０１５０】
また、貯留槽９０が満水であって、ろ過水の色度がろ過水基準色度を超えている場合は（Ｓ１５８：ＹＥＳ）、第１反応槽オゾン脱色処理と同様に、貯留槽９０からオーバーフローさせるために通常の循環脱色が行われる。つまり、電磁弁５２，５３，５４が切り換えられて、第２循環流路が開放され（Ｓ１５９）、オゾン発生器１３が運転され（Ｓ１６０）、混合ポンプ１２が運転される（Ｓ１６１）。
【０１５１】
その後、第２循環流路を循環するろ過水の色度が検出される（Ｓ１６２）。そして、その色度値が脱色水基準色度以下（例えば、１００度以下）まで低下したか否かが判断される（Ｓ１６３）。ここで、第２循環流路を循環する脱色水の色度がまだ脱色水基準色度以下まで低下していない場合（Ｓ１６３：ＮＯ）、Ｓ１６２に戻って、循環脱色処理がそのまま継続されるとともに、引き続き色度が監視される（Ｓ１６３）。そして、脱色水の色度が脱色水基準色度以下まで低下した場合（Ｓ１６３：ＹＥＳ）、オゾン発生器１３を停止せないで、電磁弁５４が切り換えられる（Ｓ１６４）。すると、循環配管４５及び脱色水供給管５０で構成される脱色水供給流路が開放され、脱色水供給管５０の出口通過時には、脱色水は目標色度（例えば、３０度）にまで脱色されるので、貯留槽９０に目標色度の脱色水を供給できる。
【０１５２】
そして、上記したように、貯留槽９０が満水の時に脱色水が順次供給されると、脱色水がオーバーフローするので、そのオーバーフロー水は、オーバーフロー水配管９９を介して、生物処理槽６に供給される。これにより、生物処理槽６内の生物処理水が希釈されるので、ろ過槽７のろ過装置１７から供給されるろ過水の色度を低下させることができる。
【０１５３】
さらに、第２反応槽３２の脱色水の水位が下限水位未満か否かが判断される（Ｓ１６５）。ここで、水位が下限水位以上の場合は（Ｓ１６５：ＮＯ）、Ｓ１６５に戻り、脱色水が貯留槽９０に引き続き供給され、水位の監視が行われる。そして、水位が下限水位未満まで低下した場合（Ｓ１６５：ＹＥＳ）は、オゾン発生器１３が停止され（Ｓ１６６）、混合ポンプ１２が停止される（Ｓ１６７）。続いて、電磁弁５４が切り換えられて脱色水供給流路が閉塞される（Ｓ１６８）。その後、Ｓ１５１に戻って処理が繰り返される。
【０１５４】
以上説明したように、第４の実施形態の循環式水洗トイレシステム１００は、貯留槽９０の脱色水をオーバーフローさせて、生物処理槽６に供給する仕組みを備えている。そして、第１反応槽３１又は第２反応槽３２に供給されるろ過水の色度を検知し、その検知された色度に応じて、貯留槽９０が満水時のオーバーフロー水量を制御することができる。これにより、オゾン脱色部８０に供給されるろ過水の色度を一定レベルに維持できるので、オゾン脱色部８０にかかるオゾン脱色処理を効率よく行うことができる。さらに、ろ過水の色度が低い場合は、オゾン脱色部８０を動作させないことによって脱色水をオーバーフローさせないので、オゾン脱色部８０の動作にかかる電力コストを低減することができる。
【０１５５】
次に、第５の実施形態である循環式水洗トイレシステムについて説明する。図２０は、オゾン脱色部８０及びコントローラ１５０の構成を示す構成図であり、図２１は、コントローラ１５０内のＲＯＭ１５０ｂの記憶エリアを示す模式図であり、図２２は、ＣＰＵ１５０ａによる第１反応槽脱色処理の制御動作を示すフローチャートであり、図２３は、ＣＰＵ１５０ａによる第２反応槽脱色処理の制御動作を示すフローチャートであり、図２４は、ＣＰＵ１５０ａによる満水時脱色処理の制御動作を示すフローチャートである。
【０１５６】
この循環式水洗トイレシステムは、第４の実施形態の循環式水洗トイレシステム１００の変形例であり、水洗便器５の使用頻度に応じて休日夜間における脱色水のオーバーフロー水量を制御できるものである。そして、昼間における水洗便器５の使用頻度（即ち、オゾン脱色部８０の脱色処理回数）に応じて、オーバーフロー水量を制御できる点に特徴を備えている。
【０１５７】
なお、第５の実施形態の循環式水洗トイレシステムは、図２０に示すように、第４の実施形態である循環式水洗トイレシステム１００（図１６参照）の構造を基本的に備え、オゾン脱色部８０と、コントローラ１２０（図１７参照）とは異なる制御動作を実行するコントローラ１５０とを備えている。そこで、第４の実施形態の循環式水洗トイレシステム１００と構造が同じ部分については同符号を付して説明を省略し、コントローラ１５０と、そのＣＰＵ１５０ａの制御動作を中心に説明する。
【０１５８】
まず、コントローラ１５０について説明する。図２０に示すように、コントローラ１５０は、中央演算処理装置としてのＣＰＵ１５０ａと、該ＣＰＵ１５０ａを中心に相互に接続されたＲＯＭ１５０ｂと、ＲＡＭ１５０ｃとを備えている。さらに、ＣＰＵ１５０ａにはＩ／Ｏインタフェイス１５０ｄが設けられている。このＩ／Ｏインタフェイス１５０ｄには、図示外の配線を介して、電磁弁５１，５２，５３，５４と、ブロワー１８と、混合ポンプ１２と、オゾン発生器１３と、第１上限フロート７０、第１下限フロート７１、第２上限フロート７３、第２下限フロート７４と、色度センサ８５，８６と、満水フロート７５とが各々接続されている。
【０１５９】
次に、ＲＯＭ１５０ｂの各記憶エリアについて説明する。図２１に示すように、ＲＯＭ１５０ｂにはＣＰＵ１５０ａが実行するプログラムを記憶したプログラム記憶エリア１５０ｂ１と、昼間における脱色処理回数とそれに対応した夜間における脱色処理回数との関係を示した夜間処理回数テーブルを記憶する夜間処理回数テーブル記憶エリア１５０ｂ２が各々設けられている。この夜間処理回数テーブルには、昼間の脱色処理回数の値が所定回数毎に区切られ、所定回数毎に区切られた昼間脱色処理回数に対応して、休日夜間に脱色処理させる夜間処理設定回数ｎが各々設定されている。例えば、昼間脱色処理回数は、０回以上ｄ１回未満と、ｄ１回以上ｄ２回未満と、ｄ２回以上との３つの範囲に区切られている。そして、夜間処理設定回数ｎは、昼間脱色処理回数が０回以上ｄ１回未満の時に３回、昼間脱色処理回数（昼間処理回数カウンタｐの値）がｄ１回以上ｄ２回未満の時に５回、昼間脱色処理回数がｄ２回以上の時に１０回に各々設定されている。なお、夜間処理回数テーブルにおける昼間脱色処理回数を各範囲に区切る数、昼間脱色処理回数の設定回数等は上記に限定されるものではない。
【０１６０】
次に、昼間と休日夜間との判別方法について説明する。例えば、昼間は休日夜間に比べて、水洗便器５の使用頻度が高い。よって、貯留槽９０に貯留された脱色水が洗浄水として利用される回数が多いので、貯留槽９０に貯留された脱色水が満水になることはほとんどない。一方、休日夜間は、昼間に比べて、水洗便器５の使用頻度が低い。よって、貯留槽９０に貯留された脱色水が洗浄水として利用される回数が少ないので、貯留槽９０に貯留された脱色水が満水になることが多い。そこで、本実施形態におけるコントローラ１５０のＣＰＵ１５０ａは、この貯留槽９０における脱色水が満水か否かを満水フロート７５で検知することで満水だったら休日夜間、満水でなかったら昼間と判断する。そして、ＣＰＵ１５０ａは、満水とならない昼間のオゾン脱色部８０の脱色処理回数をカウントし、そのカウント値に基づいて、休日夜間における脱色処理回数を設定する。
【０１６１】
次に、オゾン脱色部８０における脱色処理回数のカウント方法について説明する。この脱色処理回数は、オゾン脱色部８０から貯留槽９０に脱色水を供給した回数、即ち、電磁弁５４（図２０参照）における脱色水供給流路を開いて閉じた回数でカウントされる。例えば、第１反応槽３１の脱色処理が終了し、脱色水供給流路の開放により第１反応槽３１の脱色水が貯留槽９０に供給され、脱色水供給流路が閉じられることによって、脱色処理回数は１回とカウントされる。次いで、第２反応槽３２の脱色処理が終了し、脱色水供給流路の開放により第２反応槽３２の脱色水が貯留槽９０に供給され、脱色水供給流路が閉じられることによって、脱色処理回数は２回とカウントされる。そして、貯留槽９０が満水とならない昼間にこの脱色処理回数をカウントすることによって、昼間における水洗便器５の使用頻度を推測することができる。例えば、昼間の脱色処理回数が多い場合、水洗便器５の使用頻度は高く、ろ過水の色度が高いと推測される。一方、昼間の脱色回数が少ない場合、水洗便器５の使用頻度が低く、ろ過水の色度は低いと推測される。なお、昼間における脱色回数は、昼間処理回数カウンタｐによってカウントされる。
【０１６２】
次に、休日夜間における脱色処理回数の設定方法について説明する。上記したように、休日夜間は、脱色水が利用されないので貯留槽９０は満水になる。よって、オゾン脱色部８０から満水になった貯留槽９０に脱色水が供給されると、貯留槽９０の脱色水がオーバーフローするので、そのオーバーフロー水は、オーバーフロー水配管９９を介して生物処理槽６に供給される。そこで、昼間の脱色処理回数に応じて、休日夜間における脱色水供給回数（脱色処理回数）を調整することで、休日夜間におけるオーバーフロー水量を制御できる。そして、昼間の脱色処理回数は水洗便器５の使用頻度に比例し、その使用頻度に比例してろ過水の色度が比例する。つまり、ろ過水の色度に応じて、オーバーフロー水量を制御することになるので、ろ過水の色度を一定レベルに維持できる。そして、本実施形態では、ＣＰＵ１５０ａが、ＲＯＭ１５０ｂに設けられた夜間処理回数テーブル記憶エリア１５０ｂ２に記憶された夜間処理回数テーブルに基づき、昼間にカウントされた昼間脱色処理回数に対応する休日夜間における夜間処理設定回数ｎが設定される。
【０１６３】
次に、ＣＰＵ１５０ａによるオゾン脱色部８０の制御動作について、図２２，図２３，図２４に示す各フローチャートを参照して説明する。はじめに、循環式水洗トイレシステムの起動スイッチ（図示外）がオンされると、第１反応槽脱色処理（図２２参照）と、第２反応槽脱色処理（図２３参照）とが同時に実行される。そして、第１乃至第４の実施形態と同様に、第１反応槽脱色処理を第２反応槽脱色処理よりも先に進行させる。よって、図２３に示す第２反応槽脱色処理では、まず、第１反応槽脱色処理において、第２反応槽３２の処理開始を許可するための後述する第２反応槽処理開始信号が出力されたか否かが判断される（Ｓ２２１）。そして、第２反応槽処理開始信号が出力されるまでは（Ｓ２２１：ＮＯ）、Ｓ２２１に戻って、処理を進行せず、第２反応槽処理開始信号が出力されるまでは待機状態とされる。
【０１６４】
一方、第１反応槽脱色処理では、図２２に示すように、はじめに、昼間の脱色処理回数をカウントする昼間処理回数カウンタｐと、夜間における処理回数をカウントする夜間処理回数カウンタｓとが共にリセットされる（Ｓ１７１）。次いで、第１反応槽３１が上限水位未満か否かが判断される（Ｓ１７２）。ここで、第１反応槽３１のろ過水の水位が上限水位未満の場合（Ｓ１７２：ＹＥＳ）、電磁弁５１におけるろ過水配管３８側の弁座が開かれ、ろ過水が第１反応槽３１内に供給される（Ｓ１７３）。一方、第１反応槽３１が上限水位以上の場合（Ｓ１７２：ＮＯ）は、第１反応槽３１にろ過水を供給する必要がないので、第２反応槽３２の処理の開始を許可する第２反応槽処理開始信号が出力される（Ｓ１７５）。
【０１６５】
そして、第１反応槽３１内にろ過水が供給され（Ｓ１７３）、第１反応槽３１が上限水位以上か否かが判断される（Ｓ１７４）。ここで、まだ上限水位未満である場合は（Ｓ１７４：ＮＯ）、Ｓ１７３に戻り、脱色水が貯留槽９に引き続き供給され、水位の監視が行われる（Ｓ１７４）。その後、水位が上限水位以上になった場合は（Ｓ１７４：ＹＥＳ）、第２反応槽処理開始信号が出力される（Ｓ１７５）。次に、第２反応槽３２が循環脱色処理中か否かが判断される（Ｓ１７６）。そして、第２反応槽３２が循環脱色処理中の場合は（Ｓ１７６：ＹＥＳ）、第１反応槽３１で循環脱色できないので、Ｓ１７４に戻って処理が繰り返される。
【０１６６】
また、第２反応槽３２が循環脱色処理中でない場合は（Ｓ１７６：ＮＯ）、続いて、貯留槽９０が満水か否かが判断される（Ｓ１７７）。ここで、昼間の場合について説明すると、貯留槽９０のろ過水が洗浄水として随時利用されるので、貯留槽９０が満水になることはない。つまり、貯留槽９０が空にならないように脱色水を供給しなければならない。よって、貯留槽９０が満水でない場合は（Ｓ１７７：ＮＯ）、電磁弁５２，５３，５４が切り換えられて、第１循環流路が開放され（Ｓ１７８）、オゾン発生器１３が運転され（Ｓ１７９）、混合ポンプ１２が運転される（Ｓ１８０）。こうして、第１反応槽３１のろ過水の循環脱色が開始される。
【０１６７】
そして、第１反応槽３１のろ過水の循環脱色が開始されると、その後、第１循環流路を循環するろ過水の色度が検知される（Ｓ１８１）。さらに、検知された色度値が脱色水基準色度以下（例えば、１００度以下）まで低下したか否かが判断される（Ｓ１８２）。ここで、第１循環流路を循環する脱色水の色度がまだ脱色水基準色度以下まで低下していない場合（Ｓ１８２：ＮＯ）、Ｓ１８１に戻って、循環脱色処理がそのまま継続され、引き続き色度が監視される（Ｓ１８２）。そして、脱色水の色度が脱色水基準色度以下まで低下した場合（Ｓ１８２：ＹＥＳ）、オゾン発生器１３を停止せないで、電磁弁５４が切り換えられる（Ｓ１８３）。すると、循環配管４５及び脱色水供給管５０で構成される脱色水供給流路が開放される。
【０１６８】
これにより、第１反応槽３１内の脱色水は、混合ポンプ１２でさらにオゾンが混合され、脱色水供給管５０を通過する間にさらに脱色される。そして、脱色水供給管５０の出口通過時には、脱色水は目標色度（例えば、３０度）にまで脱色され、貯留槽９０に供給される。
【０１６９】
次に、第１反応槽３１の脱色水の水位が下限水位未満か否かが判断される（Ｓ１８４）。ここで、水位が下限水位以上の場合は（Ｓ１８４：ＮＯ）、Ｓ１８４に戻り、脱色水が貯留槽９０に引き続き供給され、水位の監視が行われる。そして、水位が下限水位未満まで低下した場合（Ｓ１８４：ＹＥＳ）は、オゾン発生器１３が停止され（Ｓ１８５）、混合ポンプ１２が停止され（Ｓ１８６）、電磁弁５４が切り換えられて脱色水供給流路が閉塞される（Ｓ１８７）。そして、昼間処理回数カウンタｐが１インクリメントされる（Ｓ１８８）。これにより、オゾン脱色部８０における昼間の処理回数が１回としてカウントされる。
【０１７０】
次いで、後述する第２反応槽開始処理において、第１反応槽処理開始信号が出力されたか否かが判断される（Ｓ１８９）。この第１反応槽処理開始信号が出力されていない間は（Ｓ１８９：ＮＯ）、第２反応槽３２にろ過水が供給されているので、Ｓ１８９に戻って待機状態とされる。そして、第２反応槽３２へのろ過水の供給が終了し、第１反応槽処理開始信号が出力された場合（Ｓ１８９：ＹＥＳ）、Ｓ１７２に戻って処理が繰り返される。
【０１７１】
一方、第２反応槽脱色処理では、図２３に示すように、まず、第２反応槽処理開始信号があったか否かが判断される（Ｓ２２１）。まだ、第２反応槽処理開始信号がない場合（Ｓ２２１：ＮＯ）、第１反応槽３１にろ過水が供給されていると推測できるので、Ｓ２２１に戻って待機状態とされる。そして、第２反応槽処理開始信号があった場合（Ｓ２２１：ＹＥＳ）、第１反応槽３１へのろ過水供給が終了しているので、続いて、第２反応槽３２のろ過水の水位が上限水位未満か否かが判断される（Ｓ２２２）。ここで、第２反応槽３２のろ過水の水位が上限水位以上の場合は（Ｓ２２２：ＮＯ）、第１反応槽３１の処理を許可する第１反応槽処理開始信号が出力される（Ｓ２２５）。
【０１７２】
また、ろ過水の水位が上限水位未満の場合（Ｓ２２２：ＹＥＳ）、電磁弁５１のろ過水配管３９側の弁座が開かれ、ろ過水が第２反応槽３２内に供給される（Ｓ２２３）。次いで、第２反応槽３２のろ過水の水位が上限水位以上か否かが判断される（Ｓ２２４）。ここで、まだ上限水位以上でない場合は（Ｓ２２４：ＮＯ）、Ｓ２２３に戻り、第２反応槽３２に引き続きろ過水を供給する。そして、第２反応槽３２が上限水位以上の場合（Ｓ２２４：ＹＥＳ）は、第２反応槽３２にろ過水を供給する必要がないので、第１反応槽処理開始信号が出力される（Ｓ２２５）。
【０１７３】
次いで、第１反応槽３１が循環脱色処理中か否かが判断される（Ｓ２２６）。そして、第１反応槽３１が循環脱色処理中の場合は（Ｓ２２６：ＹＥＳ）、Ｓ２２４に戻って処理が繰り返される。また、第１反応槽３１が循環脱色処理中でない場合は（Ｓ２２６：ＮＯ）、第１反応槽脱色処理と同様に、貯留槽９０が満水か否かが判断される（Ｓ２２７）。ここで、例えば、昼間の場合、貯留槽９０のろ過水が利用されるので、貯留槽９０が満水にはならない。つまり、貯留槽９０が空にならないように脱色水を供給しなければならないので、貯留槽９０が満水でないと判断された場合は（Ｓ２２７：ＮＯ）、通常の循環脱色処理が行われる。よって、電磁弁５２，５３，５４が切り換えられて、第２循環流路が開放され（Ｓ２２８）、オゾン発生器１３が運転され（Ｓ２２９）、混合ポンプ１２が運転される（Ｓ２３０）。これにより、第２反応槽３２のろ過水の循環脱色が開始される。
【０１７４】
そして、第２反応槽３２の循環脱色が開始されると、続いて、第２循環流路を循環する脱色水の色度が検出される（Ｓ２３１）。そして、その色度値が脱色水基準色度以下（例えば、１００度以下）まで低下したか否かが判断される（Ｓ２３２）。ここで、第２循環流路を循環する脱色水の色度がまだ脱色水基準色度以下まで低下していない場合（Ｓ２３２：ＮＯ）、Ｓ２３１に戻って、循環脱色処理がそのまま継続され、引き続き色度が監視される（Ｓ２３２）。そして、脱色水の色度が脱色水基準色度以下まで低下した場合（Ｓ２３２：ＹＥＳ）、オゾン発生器１３を停止せないで、電磁弁５４が切り換えられる（Ｓ２３３）。すると、循環配管４５及び脱色水供給管５０で構成される脱色水供給流路が開放される。
【０１７５】
これにより、第２反応槽３２内の脱色水は、混合ポンプ１２でさらにオゾンが混合され、脱色水供給管５０を通過する間にさらに脱色される。そして、脱色水供給管５０の出口通過時には、脱色水は目標色度（例えば、３０度）にまで脱色され、貯留槽９０に供給される。
【０１７６】
さらに、第２反応槽３２の脱色水の水位が下限水位未満か否かを判断する（Ｓ２３４）。ここで、水位が下限水位以上の場合は（Ｓ２３４：ＮＯ）、Ｓ２３４に戻り、脱色水が貯留槽９に引き続き供給され、水位の監視が行われる。そして、水位が下限水位未満まで低下した場合（Ｓ２３４：ＹＥＳ）は、オゾン発生器１３が停止される（Ｓ２３５）。さらに、混合ポンプ１２が停止される（Ｓ２３６）。続いて、電磁弁５４が切り換えられて脱色水供給流路が閉塞される（Ｓ２３７）。さらに、昼間処理回数カウンタｐが１インクリメントされる（Ｓ２３８）。これにより、第１反応槽脱色処理における昼間の処理に続いて、昼間における脱色処理回数が２回としてカウントされる。次いで、Ｓ２２１に戻って処理が繰り返される。
【０１７７】
このように、水洗便器５の使用頻度の高い昼間では、貯留槽９０の脱色水が洗浄水として随時利用される。そして、オゾン脱色部８０では、上記したように、第１反応槽脱色処理と第２反応槽脱色処理とが交互に行われ、脱色水は貯留槽９０に随時供給される。よって、昼間において、貯留槽９０に脱色水を安定して確保することができる。
【０１７８】
次に、休日夜間における第１反応槽脱色処理と、第２反応槽脱色処理とについて説明する。まず、第１反応槽脱色処理では、例えば、休日夜間になると、貯留槽９０の脱色水は利用されなくなるので、貯留槽９０には脱色水が蓄積される。そして、図２２に示すＳ１７１〜Ｓ１７６の処理が終了すると、貯留槽９０が満水か否かが判断される（Ｓ１７７）。そして、貯留槽９０が満水であると判断された場合は（Ｓ１７７：ＹＥＳ）、休日夜間における脱色処理を実行するための満水時脱色処理が行われる（Ｓ１９０）。
【０１７９】
ここで、Ｓ１９０の満水時脱色処理について説明する。図２４に示すように、満水時脱色処理では、まず、夜間処理回数カウンタｓの値が０を超えているか否かが判断される（Ｓ２５１）。なお、夜間処理回数カウンタｓは、休日夜間の貯留槽９０が満水時において、電磁弁５４が脱色水供給流路を開いて閉じた回数をカウントする。そして、貯留槽９０が満水になってからろ過水の脱色処理をまだ行っていない場合（Ｓ２５１：ＮＯ）、続いて、昼間処理回数カウンタｐの値が０回以上ｄ１回未満であるか否かが判断される（Ｓ２５２）。そして、ｐの値が０回以上ｄ１回未満であると判断された場合は（Ｓ２５２：ＹＥＳ）、満水時における脱色処理回数を設定する回数設定処理が行われる（Ｓ２５６）。この処理回数設定処理では、図２１に示すＲＯＭ１５０ｂの夜間処理回数テーブル記憶エリア１５０ｂ２に記憶された夜間処理回数テーブルに基づいて、夜間における夜間処理設定回数ｎが設定される。この場合、ｐが０回以上ｄ１回未満であるので、ｎ＝３回が設定される。また、ｐがｄ１以上ｄ２未満である場合は（Ｓ２５２：ＮＯ、Ｓ２５３：ＹＥＳ）、回数設定処理ではｎ＝５回が設定される（Ｓ２５５）。さらに、ｐがｄ２以上である場合は、処理回数設定処理ではｎ＝１０回が設定される（Ｓ２５４）。
【０１８０】
こうして、Ｓ２５４〜Ｓ２５６の回数設定処理が終了すると、続いて、電磁弁５２，５３，５４が切り換えられて、第１循環流路が開放される（Ｓ２５７）。そして、オゾン発生器１３が運転され（Ｓ２５８）、混合ポンプ１２が運転される（Ｓ２５９）。こうして、第１反応槽３１のろ過水の循環脱色が開始される。
【０１８１】
次いで、第１循環流路を循環する脱色水の色度が検出される（Ｓ２６０）。そして、その色度値が脱色水基準色度以下（例えば、１００度以下）まで低下したか否かが判断される（Ｓ２６１）。ここで、第１循環流路を循環する脱色水の色度がまだ脱色水基準色度以下まで低下していない場合（Ｓ２６１：ＮＯ）、Ｓ２６０に戻って、循環脱色処理をそのまま継続させ、引き続き色度が監視される（Ｓ２６１）。そして、脱色水の色度が脱色水基準色度以下まで低下した場合（Ｓ２６１：ＹＥＳ）、オゾン発生器１３を停止せないで、電磁弁５４が切り換えられ（Ｓ２６２）、脱色水供給流路が開放される。そして、混合ポンプ１２では脱色水にさらにオゾンが混合されるので、脱色水供給管５０を通過する間にさらに脱色され、貯留槽９０に目標色度の脱色水が供給される。
【０１８２】
そして、満水となった貯留槽９０に脱色水が供給されると、脱色水がオーバーフローする。さらに、そのオーバーフロー水は、オーバーフロー水配管９９を介して、生物処理槽６に供給される。次いで、第１反応槽３１の脱色水の水位が下限水位未満か否かが判断される（Ｓ２６３）。ここで、水位が下限水位以上の場合は（Ｓ２６３：ＮＯ）、Ｓ２６３に戻り、脱色水が貯留槽９に引き続き供給され、水位の監視が行われる。そして、水位が下限水位未満まで低下した場合（Ｓ２６３：ＹＥＳ）は、オゾン発生器１３が停止され（Ｓ２６４）、混合ポンプ１２が停止される（Ｓ２６５）。続いて、電磁弁５４が切り換えられて脱色水供給流路が閉塞された後に（Ｓ２６６）、夜間処理回数カウンタｓの値が１インクリメントされる（Ｓ２６７）。これにより、夜間における脱色処理回数が１回とカウントされる。そして、図２２に示す第１反応槽脱色処理のＳ１９１に移行する。
【０１８３】
次いで、図２２に示すように、満水時脱色処理（Ｓ１９０）が終了し、夜間処理回数カウンタｓの値が、回数設定処理（Ｓ２５４，Ｓ２５５，Ｓ２５６）で設定された夜間処理設定回数ｎ未満か否かが判断される（Ｓ１９１）。ここでは、まだ夜間処理設定回数ｎに到達していないので（Ｓ１９１：ＹＥＳ）、Ｓ１８９の処理に進み、第１反応槽処理開始信号の出力を待って（Ｓ１８９）、処理が繰り返される。なお、夜間処理回数カウンタｓの値が、夜間処理設定回数ｎに到達した場合（Ｓ１９１：ＮＯ）については後述する。
【０１８４】
一方、第２反応槽脱色処理（図２３参照）でも同様に、貯留槽９０が満水となった場合は（Ｓ２２７）、満水時脱色処理が行われる（Ｓ２３９）。そして、図２４に示すフローチャートにしたがって満水時脱色処理が同様に実行される。そして、図２４に示すように、夜間における脱色処理が既に実行中の場合は、夜間処理回数カウンタｓの値は少なくとも１回以上であるので（Ｓ２５１：ＹＥＳ）、Ｓ２５１〜Ｓ２５６の処理が行われずに、Ｓ２５７に進んで第２循環流路が開放され、ろ過水の脱色処理が実行される（Ｓ２５８，Ｓ２５９）。さらに、第２循環流路を循環する脱色水の色度が検出され（Ｓ２６０）、その色度値が脱色水基準色度以下（例えば、１００度以下）まで低下したか否かが判断される（Ｓ２６１）。ここで、第２循環流路を循環する脱色水の色度がまだ脱色水基準色度以下まで低下していない場合（Ｓ２６１：ＮＯ）、Ｓ２６０に戻って、循環脱色処理がそのまま継続され、引き続き色度が監視される（Ｓ２６１）。
【０１８５】
そして、脱色水の色度が脱色水基準色度以下まで低下した場合（Ｓ２６１：ＹＥＳ）、オゾン発生器１３を停止せないで、電磁弁５４が切り換えられ（Ｓ２６２）、脱色水供給流路が開放されて脱色水が貯留槽９０に供給される。次に、第２反応槽３２の水位が下限数水位未満か否かが判断され（Ｓ２６３）、下限数水位未満まで低下しない間は（Ｓ２６３：ＮＯ）、Ｓ２６３に戻って処理が繰り返される。そして、第２反応槽３２の水位が下限数水位未満まで減ったら（Ｓ２６３：ＹＥＳ）、オゾン発生器１３、混合ポンプ１２が停止され（Ｓ２６４，Ｓ２６５）、電磁弁５４が切り換えられて脱色水供給流路が閉じられる（Ｓ２６６）。そして、夜間処理回数カウンタｓの値が１インクリメントされる（Ｓ２６７）。よって、上述した第１反応槽脱色処理の満水時脱色処理（図２２：Ｓ１９０）に引き続いて処理されたので、夜間における夜間処理回数は２回となる。そして、図２３に示す第２反応槽脱色処理のＳ２４０に移行される。
【０１８６】
次いで、図２３に示すように、満水時脱色処理（Ｓ２３９）が終了し、夜間処理回数カウンタｓの値が、回数設定処理（Ｓ２５４，Ｓ２５５，Ｓ２５６）で設定された夜間処理設定回数ｎ未満か否かが判断される（Ｓ２４０）。ここでは、まだ夜間処理設定回数ｎに到達していないので（Ｓ２４０：ＹＥＳ）、Ｓ２２１に戻って処理が繰り返される。
【０１８７】
このように、貯留槽９０の満水時では、第１反応脱色処理における満水時脱色処理（図２２に示すＳ１９０）と、第２反応槽脱色処理における満水時脱色処理（図２３に示すＳ２３９）とが交互に実行される。そして、例えば、図２２に示すように、第１反応槽脱色処理の満水時脱色処理（Ｓ１９０）が終了して、夜間処理回数カウンタｓの値が夜間処理設定回数ｎ未満か否かが判断され（Ｓ１９１）、夜間処理回数カウンタｓの値が夜間処理設定回数ｎに到達したと判断された場合は（Ｓ１９１：ＮＯ）、続いて、貯留槽９０がまだ満水であるか否かが検知される（Ｓ１９２）。そして、貯留槽９０がまだ満水の場合（Ｓ１９２：ＹＥＳ）、貯留槽９０の満水時に既にｎ回オーバーフローさせているので、これ以上は貯留槽９０からオーバーフローさせる必要がない。よって、Ｓ１９２に戻って引き続き水位の監視が行われる。
【０１８８】
そして、水洗便器５が再び使用され始めた場合、貯留槽９０に貯留された脱色水が利用されるので、貯留槽９０の水位が下がる。そこで、貯留槽９０が満水でないと判断された場合は（Ｓ１９２：ＮＯ）、昼間処理回数カウンタｐと、夜間処理回数カウンタｓとが共にリセットされる（Ｓ１９３）。次いで、Ｓ１８９の処理に進み、第１反応槽処理開始信号の出力を待って、処理が繰り返される。
【０１８９】
これとは別に、例えば、第２反応槽脱色処理の満水時脱色処理（Ｓ２３９）が終了して、夜間処理回数カウンタｓの値が夜間処理設定回数ｎ未満か否かが判断され（Ｓ２４０）、夜間処理回数カウンタｓの値が夜間処理設定回数ｎに到達したと判断された場合は（Ｓ２４０：ＮＯ）、続いて、貯留槽９０がまだ満水であるか否かが検知される（Ｓ２４１）。そして、貯留槽９０がまだ満水のままの場合（Ｓ２４１：ＹＥＳ）、これ以上は貯留槽９０からオーバーフローさせないため、Ｓ２４１に戻って引き続き水位の監視が行われる。
【０１９０】
そして、水洗便器５が再び使用され始めると、貯留槽９０に貯留された脱色水が利用される。よって、貯留槽９０の水位が下がるので、貯留槽９０が満水でない場合は（Ｓ２４１：ＮＯ）、昼間処理回数カウンタｐと、夜間処理回数カウンタとが共にリセットされる（Ｓ２４２）。次いで、Ｓ２２１の処理に進み、第２反応槽処理開始信号の出力を待って、処理が繰り返される。
【０１９１】
以上説明したように、第５の実施形態の循環式水洗トイレシステムでは、コントローラ１５０のＣＰＵ１５０ａが、貯留槽９０が満水とならない昼間のオゾン脱色部８０の脱色処理回数をカウントし、そのカウント値に基づいて、満水時の脱色処理回数を設定して、オーバーフロー水量を制御することができる。  
【０１９２】
このコントローラ１５０のＣＰＵ１５０ａは、ＲＯＭ１５０ｂに設けられた夜間処理回数テーブル記憶エリア１５０ｂ２に記憶された夜間処理回数テーブルに基づき、昼間脱色処理回数に対応する休日夜間における夜間処理設定回数ｎを設定できる。この夜間処理設定回数ｎは、昼間脱色処理回数に比例するように各々設定されている。そして、その昼間脱色処理回数は水洗便器５の使用頻度に応じて比例するため、ろ過水の色度に比例する。つまり、ろ過水の色度に対応して、夜間処理設定回数ｎが設定されている。したがって、貯留槽９０の満水時に、満水時設定処理で設定されたｎ回だけ脱色処理することで、ｎ回オーバーフローさせることができるので、昼間の水洗便器５の使用頻度、即ち、ろ過水の色度に応じてオーバーフロー水を生物処理槽６に供給できる。これにより、ろ過水の色度を一定レベルに維持できるので、オゾン脱色部８０を稼働させる消費電力を節約できる。
【０１９３】
なお、第１の実施形態において、オゾン発生器１３が「オゾン発生手段」に相当し、電磁弁５１が「ろ過水流路切換手段」に相当し、電磁弁５４が「脱色水供給流路開閉手段」に相当し、第１上限フロート７０及び第１下限フロート７１が「第１水量検知手段」に相当し、第２上限フロート７３及び第２下限フロート７４が「第２水量検知手段」に相当する。そして、Ｓ２０の処理を実行するＣＰＵ１０ａが「時間計測手段」に相当し、Ｓ２３の処理を実行するＣＰＵ１０ａが「第１下限判断手段」に相当し、Ｓ１１，Ｓ１３の処理を実行するＣＰＵ１０ａが「第１上限判断手段」に相当し、Ｓ４４の処理を実行するＣＰＵ１０ａが「第２下限判断手段」に相当し、Ｓ３２，Ｓ３４の処理を実行するＣＰＵ１０ａが「第２上限判断手段」に相当し、Ｓ１２の処理を実行するＣＰＵ１０ａが「第１切換指示手段」に相当し、Ｓ３３の処理を実行するＣＰＵ１０ａが「第２切換指示手段」に相当し、Ｓ１８，Ｓ３９の処理を実行するＣＰＵ１０ａが「ポンプ動作指示手段」に相当し、Ｓ１６の処理を実行するＣＰＵ１０ａが「第１循環流路切換制御手段」に相当し、Ｓ３７の処理を実行するＣＰＵ１０ａが「第２循環流路切換制御手段」に相当し、Ｓ１７，Ｓ３８の処理を実行するＣＰＵ１０ａが「オゾン発生指示手段」に相当し、Ｓ２１，Ｓ４２の処理を実行するＣＰＵ１０ａが「オゾン発生停止手段」に相当し、Ｓ２２，Ｓ４３の処理を実行するＣＰＵ１０ａが「脱色水供給流路開放指示手段」に相当し、Ｓ２４，Ｓ４５の処理を実行するＣＰＵ１０ａが「ポンプ停止手段」に相当する。
【０１９４】
また、第２の実施形態において、Ｓ５９，Ｓ８０の処理を実行するＣＰＵ１０ａが「時間計測手段」に相当し、Ｓ６０，Ｓ８１の処理を実行するＣＰＵ１０ａが「時間判断手段」に相当し、Ｓ６２の処理を実行するＣＰＵ１０ａが「第１下限判断手段」に相当し、Ｓ５１，Ｓ５３の処理を実行するＣＰＵ１０ａが「第１上限判断手段」に相当し、Ｓ８３の処理を実行するＣＰＵ１０ａが「第２下限判断手段」に相当し、Ｓ７２，Ｓ７４の処理を実行するＣＰＵ１０ａが「第２上限判断手段」に相当し、Ｓ５２の処理を実行するＣＰＵ１０ａが「第１切換指示手段」に相当し、Ｓ７３の処理を実行するＣＰＵ１０ａが「第２切換指示手段」に相当し、Ｓ５８，Ｓ７９の処理を実行するＣＰＵ１０ａが「ポンプ動作指示手段」に相当し、Ｓ５６の処理を実行するＣＰＵ１０ａが「第１循環流路切換制御手段」に相当し、Ｓ７７の処理を実行するＣＰＵ１０ａが「第２循環流路切換制御手段」に相当し、Ｓ５７，Ｓ７８の処理を実行するＣＰＵ１０ａが「オゾン発生指示手段」に相当し、Ｓ６１，Ｓ８２の処理を実行するＣＰＵ１０ａが「脱色水供給流路開放指示手段」に相当し、Ｓ６３，Ｓ８４の処理を実行するＣＰＵ１０ａが「オゾン発生指示手段」に相当し、Ｓ６４，Ｓ８５の処理を実行するＣＰＵ１０ａが「ポンプ停止手段」に相当する。
【０１９５】
さらに、第３の実施形態において、色度センサ８５が「第１色度検知手段」に相当し、色度センサ８６が「第２色度検知手段」に相当し、Ｓ１０２の処理を実行するＣＰＵ１１０ａが「第１下限判断手段」に相当し、Ｓ９１，Ｓ９３の処理を実行するＣＰＵ１１０ａが「第１上限判断手段」に相当し、Ｓ１２３の処理を実行するＣＰＵ１１０ａが「第２下限判断手段」に相当し、Ｓ１１２，Ｓ１１４の処理を実行するＣＰＵ１１０ａが「第２上限判断手段」に相当し、Ｓ１００の処理を実行するＣＰＵ１１０ａが「第１色度判断手段」に相当し、Ｓ１２１の処理を実行するＣＰＵ１１０ａが「第２色度判断手段」に相当し、Ｓ９２の処理を実行するＣＰＵ１１０ａが「第１切換指示手段」に相当し、Ｓ１１３の処理を実行するＣＰＵ１１０ａが「第２切換指示手段」に相当し、Ｓ９８，Ｓ１１９の処理を実行するＣＰＵ１１０ａが「ポンプ動作指示手段」に相当し、Ｓ９６の処理を実行するＣＰＵ１１０ａが「第１循環流路切換制御手段」に相当し、Ｓ１１７の処理を実行するＣＰＵ１１０ａが「第２循環流路切換制御手段」に相当し、Ｓ９７，Ｓ１１８の処理を実行するＣＰＵ１１０ａが「オゾン発生指示手段」に相当し、Ｓ１０１，Ｓ１２２の処理を実行するＣＰＵ１１０ａが「脱色水供給流路開放指示手段」に相当し、Ｓ１０３，Ｓ１２４の処理を実行するＣＰＵ１１０ａが「オゾン発生停止手段」に相当し、Ｓ１０４，Ｓ１２５の処理を実行するＣＰＵ１１０ａが「ポンプ停止手段」に相当する。
【０１９６】
また、第４の実施形態において、満水フロート７５が「満水検知手段」に相当し、色度センサ８５，８６が「ろ過水色度検知手段」に相当する。
【０１９７】
さらに、第５の実施形態において、Ｓ１８８，Ｓ２３８の処理を実行するＣＰＵ１５０ａが「脱色回数カウント手段」に相当し、Ｓ２５４，Ｓ２５５，Ｓ２５６の処理を実行するＣＰＵ１５０ａが「オーバーフロー回数設定手段」に相当し、ｄ１，ｄ２が「所定回数」に相当する。
【０１９８】
なお、本発明は、上記の第１乃至第５の実施形態に限定されることなく、各種の変形が可能である。例えば、第１乃至第３の実施形態では、貯留槽９は、生物処理槽６、ろ過槽７とは独立した槽としたが、第４，第５の実施形態のように、各処理槽と一体となった貯留槽９０としてもよい。また、これとは反対に、第４，第５の実施形態の貯留槽９０を、各処理槽とは独立した槽としてもよい。
【０１９９】
また、第１乃至第３の実施形態の循環式水洗トイレシステムに、オーバーフロー水配管、ろ過水オーバーフロー水配管を設けても良い。
【０２００】
さらに、第４，第５の実施形態の循環式水洗トイレシステムでは、各反応槽の脱色処理において、各反応槽の脱色水の色度を検知することで、脱色水供給流路を開放するタイミングを決定しているが、第１，第２の実施形態のように、オゾン発生器１３の運転時間で決定してもよい。
【０２０１】
また、第３，第４，第５の実施形態の循環式水洗トイレシステムでは、第１反応槽３１に色度センサ８５を設け、第２反応槽３２に色度センサ８６を設け、各色度センサによって検出された各色度値に基づいて、第１反応槽３１及び第２反応槽３２の脱色処理を別々に行っているが、第１反応槽３１及び第２反応槽３２の何れか一方の槽内だけに色度センサを設置し、他方の槽においても同様の脱色処理を行うようにしてもよい。この場合、色度センサが１つで足りるのでコストを低減することができる。
【０２０２】
さらに、第１反応槽３１若しくは第２反応槽３２に設けられたフロート７０〜７４でろ過水量を測定することによって、ろ過装置１７内のろ過膜の交換時期を推測してもよい。これにより、ろ過膜の目詰まりが起きる前にろ過膜を適宜交換することができる。
【産業上の利用可能性】
【０２０３】
本発明の循環式水洗トイレシステムは、水洗便器を備えたトイレシステムのみならず、廃水を処理する廃水処理装置にも適用可能である。
【図面の簡単な説明】
【０２０４】
【図１】循環式水洗トイレシステム１のブロック図である。
【図２】循環式水洗トイレシステム１の構成図である。
【図３】オゾン脱色部８及びコントローラ１０の構成を示す構成図である。
【図４】オゾン脱色部８における処理の流れを示す説明図（第１反応槽３１にろ過水供給）である。
【図５】オゾン脱色部８における処理の流れを示す説明図（第１反応槽３１の循環脱色処理：第２反応槽３２にろ過水供給）である。
【図６】オゾン脱色部８における処理の流れを示す説明図（第１反応槽３１から貯留槽９に脱色水供給）である。
【図７】オゾン脱色部８における処理の流れを示す説明図（第２反応槽３２の循環脱色処理：第１反応槽３１にろ過水供給）である。
【図８】オゾン脱色部８における処理の流れを示す説明図（第２反応槽３２から貯留槽９に脱色水供給）である。
【図９】ＣＰＵ１０ａによる第１反応槽脱色処理の制御動作を示すフローチャート（第１の実施形態）である。
【図１０】ＣＰＵ１０ａによる第２反応槽脱色処理の制御動作を示すフローチャート（第１の実施形態）である。
【図１１】ＣＰＵ１０ａによる第１反応槽脱色処理の制御動作を示すフローチャート（第２の実施形態）である。
【図１２】ＣＰＵ１０ａによる第２反応槽脱色処理の制御動作を示すフローチャート（第２の実施形態）である。
【図１３】オゾン脱色部８０及びコントローラ１１０の構成を示す構成図である。
【図１４】ＣＰＵ１１０ａによる第１反応槽脱色処理の制御動作を示すフローチャートである。
【図１５】ＣＰＵ１１０ａによる第２反応槽脱色処理の制御動作を示すフローチャートである。
【図１６】循環式水洗トイレシステム１００の構成図である。
【図１７】オゾン脱色部８０及びコントローラ１２０の構成を示す構成図である。
【図１８】ＣＰＵ１２０ａによる第１反応槽脱色処理の制御動作を示すフローチャートである。
【図１９】ＣＰＵ１２０ａによる第２反応槽脱色処理の制御動作を示すフローチャートである。
【図２０】オゾン脱色部８０及びコントローラ１５０の構成を示す構成図である。
【図２１】コントローラ１５０内のＲＯＭ１５０ｂの記憶エリアを示す模式図である。
【図２２】ＣＰＵ１５０ａによる第１反応槽脱色処理の制御動作を示すフローチャートである。
【図２３】ＣＰＵ１５０ａによる第２反応槽脱色処理の制御動作を示すフローチャートである。
【図２４】ＣＰＵ１５０ａによる満水時脱色処理の制御動作を示すフローチャートである。
【符号の説明】
【０２０５】
１    循環式水洗トイレシステム
５    水洗便器
６    生物処理槽
７    ろ過槽
８    オゾン脱色部
９    貯留槽
１０ａ  ＣＰＵ
１０ｅ  タイマ
１２    混合ポンプ
１３    オゾン発生器
２５    ろ過水供給管
３１    第１反応槽
３２    第２反応槽
３８    ろ過水配管
３９    ろ過水配管
４１〜４７    循環配管
５０    脱色水供給管
５１〜５４    電磁弁
７０    第１上限フロート
７１    第１下限フロート
７３    第２上限フロート
７４    第２下限フロート
７５    満水フロート
８０    オゾン脱色部
８５，８６    色度センサ
９０    貯留槽
９９    オーバーフロー水配管
１００    循環式水洗トイレシステム
１１０ａ  ＣＰＵ
１２０ａ  ＣＰＵ
１５０ａ  ＣＰＵ
【図１】
2007270524.tif 000003
【図２】
2007270524.tif 000004
【図３】
2007270524.tif 000005
【図４】
2007270524.tif 000006
【図５】
2007270524.tif 000007
【図６】
2007270524.tif 000008
【図７】
2007270524.tif 000009
【図８】
2007270524.tif 000010
【図９】
2007270524.tif 000011
【図１０】
2007270524.tif 000012
【図１１】
2007270524.tif 000013
【図１２】
2007270524.tif 000014
【図１３】
2007270524.tif 000015
【図１４】
2007270524.tif 000016
【図１５】
2007270524.tif 000017
【図１６】
2007270524.tif 000018
【図１７】
2007270524.tif 000019
【図１８】
2007270524.tif 000020
【図１９】
2007270524.tif 000021
【図２０】
2007270524.tif 000022
【図２１】
2007270524.tif 000023
【図２２】
2007270524.tif 000024
【図２３】
2007270524.tif 000025
【図２４】
2007270524.tif 000026